(57)【特許請求の範囲】
【請求項１】
ワイヤレス通信においてデータをアグリゲートするための方法であって、前記方法は、
ワイヤレスデバイスにおいて、第１のネットワークエンティティのセルの第１のセットの第１の１次セルを通じて前記第１のネットワークエンティティと通信するために第１の構成情報を受信することと、
前記ワイヤレスデバイスにおいて、第２のネットワークエンティティのセルの第２のセットの第２の１次セルを通じて前記第２のネットワークエンティティと通信するために第２の構成情報を受信することと、
前記ワイヤレスデバイス中の情報コンバージェンスエンティティにおいて、前記ワイヤレスデバイスが前記第１のネットワークエンティティおよび前記第２のネットワークエンティティと通信しているとき、前記第１のネットワークエンティティからの前記第１の構成情報と、前記第２のネットワークエンティティからの前記第２の構成情報とをアグリゲートすることと、
前記第１のネットワークエンティティと前記第２のネットワークエンティティとのデュアル通信を確立することと、
を備え、
ここにおいて、少なくとも前記受信された第１の構成情報に基づいて、前記第１の１次セルは、
セルの前記第１のセット中のセルに関する物理アップリンク制御チャネル（ＰＵＣＣＨ）を搬送することと、
セルの前記第１のセットが同じ間欠受信（ＤＲＸ）構成を有することを可能にすることと、
前記第１のネットワークエンティティ上で競合ベースランダムアクセスと競合なしランダムアクセスの一方または両方のためのランダムアクセスリソースを構成して提供することと、
ダウンリンク許可がＰＵＣＣＨに関する送信電力制御（ＴＰＣ）コマンドを搬送することを可能にすることと、
セルの前記第１のセット中のセルに関する経路損失推定を可能にすることと
を行うように構成され、
ここにおいて、前記第１の１次セルは、共通探索空間と、半永続的スケジューリングとを有する、方法。
【請求項２】
前記第１のネットワークエンティティは、前記第１の１次セルを含むセルの前記第１のセットと１つ以上の２次セルの第１のセットとを動作させ、前記第２のネットワークエンティティは、前記第２の１次セルを含むセルの前記第２のセットと１つ以上の２次セルの第２のセットとを動作させる、請求項１の方法。
【請求項３】
前記第１の１次セルは、前記ワイヤレスデバイスにおいて上位レベル機能を提供するように構成され、前記上位レベル機能は、セキュリティ機能、またはネットワークへの接続機能、または初期接続機能、または無線リンク障害機能のうちの１つ以上を含む、請求項２の方法。
【請求項４】
前記第１の１次セルは、前記ワイヤレスデバイス中の前記情報コンバージェンスエンティティにおいて上位レイヤエンティティ機能を提供するように構成され、前記情報コンバージェンスエンティティは、パケットデータコンバージェンスプロトコル（ＰＤＣＰ）エンティティ、またはインターネットプロトコル（ＩＰ）エンティティ、または無線リソース制御（ＲＲＣ）エンティティのうちの１つである、請求項２の方法。
【請求項５】
前記第１のネットワークエンティティと前記第２のネットワークエンティティとがコロケートされない、請求項２の方法。
【請求項６】
前記第２の１次セルは、１つ以上の２次セルの前記第２のセットからの任意のセルをクロスキャリア制御するように構成され、１つ以上の２次セルの前記第２のセット中の各セルは、前記第２の１次セルをクロスキャリア制御するように構成されない、請求項２の方法。
【請求項７】
１つ以上の２次セルの前記第２のセット中の前記セルのいずれか１つは、１つ以上の２次セルの前記第２のセット中の残りのセルのうちの１つ以上をクロスキャリア制御するように構成される、請求項６の方法。
【請求項８】
前記第２の１次セルは、前記第２のネットワークエンティティによって動作させられるセルの前記第２のセット中の最低セルインデックスを有する、請求項２の方法。
【請求項９】
前記第２の１次セルは、前記ワイヤレスデバイス中のレイヤエンティティにおいて第２のネットワークに下位レイヤエンティティ機能を与えるように構成される、請求項１の方法。
【請求項１０】
前記下位レイヤエンティティは、無線リンク制御（ＲＬＣ）エンティティ、またはメディアアクセス制御（ＭＡＣ）レイヤエンティティ、または物理レイヤエンティティのうちの少なくとも１つを含む、請求項９の方法。
【請求項１１】
前記下位レイヤエンティティ機能は、
セルの前記第２のセット中のセルに関するＰＵＣＣＨを搬送すること、または
セルの前記第２のセットが同じＤＲＸ構成を有することを可能にすること、または
前記第２のネットワークエンティティ上で競合ベースランダムアクセスと競合なしランダムアクセスの一方または両方のためのランダムアクセスリソースを構成すること、または
ＰＵＣＣＨに関するＴＰＣコマンドを搬送するためのダウンリンク許可、または
セルの前記第２のセット中のセルに関する経路損失推定
の機能のうちの少なくとも１つを含み、
前記第２の１次セルは、セルの前記第２のセット中の前記セルの間で構成される共通探索空間を有する、請求項９の方法。
【請求項１２】
前記第２の１次セルは半永続的スケジューリングを構成する、請求項１１の方法。
【請求項１３】
前記第１の１次セルに少なくとも基づいて前記第１のネットワークエンティティに関連する第１の経路損失を推定することと、
前記第２の１次セルに少なくとも基づいて前記第２のネットワークエンティティに関連する第２の経路損失を推定することと
をさらに備える、請求項１の方法。
【請求項１４】
ＲＲＣエンティティから前記第１の構成情報と前記第２の構成情報とを受信することをさらに備える、請求項１の方法。
【請求項１５】
前記情報コンバージェンスエンティティは、ＰＤＣＰエンティティ、またはＩＰエンティティ、またはＲＲＣエンティティのうちの１つを備える、請求項１の方法。
【請求項１６】
情報コンバージェンスエンティティにおいて、前記第１のネットワークエンティティと前記第２のネットワークエンティティとから受信されたデータパケットをアグリゲートすることは、前記第１のネットワークエンティティと前記第２のネットワークエンティティとの両方を通じて、サウンディング基準信号（ＳＲＳ）送信に適するベアラのデータパケットを受信することを備える、請求項１の方法。
【請求項１７】
前記第１の構成情報は前記第１の１次セルに関する電力ヘッドルーム報告情報を備え、前記第２の構成情報は前記第２の１次セルに関する電力ヘッドルーム報告情報を備える、請求項１の方法。
【請求項１８】
前記第１の構成情報は、前記第１のネットワークエンティティ上で構成されるベアラに対応し、かつ前記第１のネットワークエンティティによって動作させられるセルの前記第１のセットのコンポーネントキャリア上で前記ワイヤレスデバイスによって受信されたアップリンク許可にマッピングされる、論理チャネル（ＬＣ）情報を備える、請求項１の方法。
【請求項１９】
前記第２の構成情報は、前記第２のネットワークエンティティ上で構成されるベアラに対応し、かつ前記第２のネットワークエンティティによって動作させられるセルの前記第２のセットのコンポーネントキャリア上で前記ワイヤレスデバイスによって受信されるアップリンク許可にマッピングされる、ＬＣ情報を備える、請求項１の方法。
【請求項２０】
前記第１の構成情報は前記第１の１次セルのためのＳＲＳ情報を備え、前記第２の構成情報は前記第２の１次セルのためのＳＲＳ情報を備える、請求項１の方法。
【請求項２１】
前記第１のネットワークエンティティは第１の基地局であり、前記第２のネットワークエンティティは第２の基地局である、請求項１の方法。
【請求項２２】
ワイヤレス通信においてデータをアグリゲートするための装置であって、前記装置は、
ワイヤレスデバイスにおいて、第１のネットワークエンティティのセルの第１のセットの第１の１次セルを通じて前記第１のネットワークエンティティと通信するために第１の構成情報を受信するための手段と、
前記ワイヤレスデバイスにおいて、第２のネットワークエンティティのセルの第２のセットの第２の１次セルを通じて前記第２のネットワークエンティティと通信するために第２の構成情報を受信するための手段と、
前記ワイヤレスデバイス中の情報コンバージェンスエンティティにおいて、前記ワイヤレスデバイスが前記第１のネットワークエンティティおよび前記第２のネットワークエンティティと通信しているとき、前記第１のネットワークエンティティからの前記第１の構成情報と、前記第２のネットワークエンティティからの前記第２の構成情報とをアグリゲートするための手段と
前記第１のネットワークエンティティと前記第２のネットワークエンティティとのデュアル通信を確立するための手段と、
を備え、
ここにおいて、少なくとも前記受信された第１の構成情報に基づいて、前記第１の１次セルは、
セルの前記第１のセット中のセルに関する物理アップリンク制御チャネル（ＰＵＣＣＨ）を搬送することと、
セルの前記第１のセットが同じ間欠受信（ＤＲＸ）構成を有することを可能にすることと、
前記第１のネットワークエンティティ上で競合ベースランダムアクセスと競合なしランダムアクセスの一方または両方のためのランダムアクセスリソースを構成して提供することと、
ダウンリンク許可がＰＵＣＣＨに関する送信電力制御（ＴＰＣ）コマンドを搬送することを可能にすることと、
セルの前記第１のセット中のセルに関する経路損失推定を可能にすることと
を行うように構成され、
前記第１の１次セルは、共通探索空間と、半永続的スケジューリングとを有する、装置。
【請求項２３】
プロセッサによって実行されたとき、前記プロセッサが以下の機能を行うことを可能にする、コンピュータ実行可能コードを記憶する非一時的コンピュータ可読記憶媒体であって、前記非一時的コンピュータ可読記憶媒体は、
ワイヤレスデバイスにおいて、第１のネットワークエンティティのセルの第１のセットの第１の１次セルを通じて前記第１のネットワークエンティティと通信するために第１の構成情報を受信するためのコードと、
前記ワイヤレスデバイスにおいて、第２のネットワークエンティティのセルの第２のセットの第２の１次セルを通じて前記第２のネットワークエンティティと通信するために第２の構成情報を受信するためのコードと、
前記ワイヤレスデバイス中の情報コンバージェンスエンティティにおいて、前記ワイヤレスデバイスが前記第１のネットワークエンティティおよび前記第２のネットワークエンティティと通信しているとき、前記第１のネットワークエンティティからの前記第１の構成情報と、前記第２のネットワークエンティティからの前記第２の構成情報とをアグリゲートするためのコードと
前記第１のネットワークエンティティと前記第２のネットワークエンティティとのデュアル通信を確立することと、
を備え、
少なくとも前記受信された第１の構成情報に基づいて、前記第１の１次セルは、
セルの前記第１のセット中のセルに関する物理アップリンク制御チャネル（ＰＵＣＣＨ）を搬送することと、
セルの前記第１のセットが同じ間欠受信（ＤＲＸ）構成を有することを可能にすることと、
前記第１のネットワークエンティティ上で競合ベースランダムアクセスと競合なしランダムアクセスの一方または両方のためのランダムアクセスリソースを構成して提供することと、
ダウンリンク許可がＰＵＣＣＨに関する送信電力制御（ＴＰＣ）コマンドを搬送することを可能にすることと、
セルの前記第１のセット中のセルに関する経路損失推定を可能にすることと
を行うように構成され、
ここにおいて、前記第１の１次セルは、共通探索空間と、半永続的スケジューリングとを有する、非一時的コンピュータ可読記憶媒体。
【請求項２４】
ワイヤレス通信においてデータをアグリゲートするための通信デバイスであって、
プロセッサと、
前記プロセッサに結合されたメモリと
を備え、前記メモリは、
第１のネットワークエンティティのセルの第１のセットの第１の１次セルを通じて前記第１のネットワークエンティティと通信するために第１の構成情報を受信することと、ここにおいて、前記キャリアアグリゲーションマネージャコンポーネントは、第２のネットワークエンティティのセルの第２のセットの第２の１次セルを通じて前記第２のネットワークエンティティと通信するために第２の構成情報を受信するようにさらに構成され、
前記ワイヤレスデバイスが前記第１のネットワークエンティティおよび前記第２のネットワークエンティティと通信しているとき、前記第１のネットワークエンティティからの前記第１の構成情報と、前記第２のネットワークエンティティからの前記第２の構成情報とをアグリゲートすることと、
前記第１のネットワークエンティティと前記第２のネットワークエンティティとのデュアル通信を確立することと、
を行うように前記プロセッサによって実行可能な命令を含み、
ここにおいて、少なくとも前記第１の受信された構成情報に基づいて、前記第１の１次セルは、
セルの前記第１のセット中のセルに関する物理アップリンク制御チャネル（ＰＵＣＣＨ）を搬送することと、
セルの前記第１のセットが同じ間欠受信（ＤＲＸ）構成を有することを可能にすることと、
前記第１のネットワークエンティティ上で競合ベースランダムアクセスと競合なしランダムアクセスの一方または両方のためのランダムアクセスリソースを構成して提供することと、
ダウンリンク許可がＰＵＣＣＨに関する送信電力制御（ＴＰＣ）コマンドを搬送することを可能にすることと、
セルの前記第１のセット中のセルに関する経路損失推定を可能にすることと
を行うように構成され、
ここにおいて、前記第１の１次セルは、共通探索空間と、半永続的スケジューリングとを有する、通信デバイス。
【請求項２５】
ワイヤレス通信においてデータをアグリゲートするための方法であって、前記方法は、
セルの第２のセット中のセルを第２の１次セルとして動作させるように、およびセルの前記第２のセットが同じＤＲＸ構成を有することを可能にするように、
第２のネットワークエンティティを構成することと、
ワイヤレスデバイスが、第１の１次セルを有するセルの第１のセットを動作させる第１のネットワークエンティティと通信している間に前記第２のネットワークエンティティと通信するために、前記第２の１次セルを通じて構成情報を前記ワイヤレスデバイスに送信することと
を備え、
ここにおいて、前記第１の１次セルは、
セルの前記第１のセット中のセルに関する物理アップリンク制御チャネル（ＰＵＣＣＨ）を搬送することと、
セルの前記第１のセットのうちの最低セルインデックスを含めることと、
セルの前記第１のセットが同じ間欠受信（ＤＲＸ）構成を有することを可能にすることと、
前記第１のネットワークエンティティ上で競合ベースランダムアクセスと競合なしランダムアクセスの一方または両方のためのランダムアクセスリソースを構成して提供することと、
ダウンリンク許可がＰＵＣＣＨに関する送信電力制御（ＴＰＣ）コマンドを搬送することを可能にすることと、
セルの前記第１のセット中のセルに関する経路損失推定を可能にすることと
を行うように構成され、
ここにおいて、前記第１の１次セルは、共通探索空間と、半永続的スケジューリングとを有する、方法。
【請求項２６】
前記第１の１次セルは、前記ワイヤレスデバイスにおいて上位レベル機能を提供するように構成され、前記上位レベル機能は、セキュリティ機能、またはネットワークへの接続機能、または初期接続機能、または無線リンク障害機能のうちの１つ以上を含む、請求項２５の方法。
【請求項２７】
前記第１の１次セルは、前記ワイヤレスデバイス中のエンティティにおいて上位レベル機能を提供するように構成され、前記エンティティは、パケットデータコンバージェンスプロトコル（ＰＤＣＰ）エンティティ、またはインターネットプロトコル（ＩＰ）エンティティ、または無線リソース制御（ＲＲＣ）エンティティのうちの１つである、請求項２５の方法。
【請求項２８】
前記第２の１次セルは、
セルの前記第２のセット中のセルに関するＰＵＣＣＨを搬送すること、または
セルの前記第２のセットのうちの最低セルインデックスを含めること、または
前記第２のネットワークエンティティ上で競合ベースランダムアクセスと競合なしランダムアクセスの一方または両方のためのランダムアクセスリソースを構成すること、または
ＰＵＣＣＨに関するＴＰＣコマンドを搬送するためのダウンリンク許可、または
セルの前記第２のセット中のセルに関する経路損失推定
の下位レイヤエンティティ機能のうちの少なくとも１つを与えるように構成され、
前記第２の１次セルは、セルの前記第２のセット中の前記セルの間で構成される共通探索空間を有する、請求項２５の方法。
【請求項２９】
前記第２の１次セルは半永続的スケジューリングを構成する、請求項２８の方法。
【請求項３０】
前記第１のネットワークエンティティと前記第２のネットワークエンティティとがコロケートされない、請求項２５の方法。
【請求項３１】
ワイヤレス通信においてデータをアグリゲートするための装置であって、前記装置は、
セルの第２のセット中のセルを第２の１次セルとして動作させるように、およびセルの前記第２のセットが同じＤＲＸ構成を有することを可能にするように、第２のネットワークエンティティを構成するための手段と、
ワイヤレスデバイスが、第１の１次セルを有するセルの第１のセットを動作させる第１のネットワークエンティティと通信している間に前記第２のネットワークエンティティと通信するために、前記第２の１次セルを通じて構成情報を前記ワイヤレスデバイスに送信するための手段とを備え、
前記第１の１次セルは、
セルの前記第１のセット中のセルに関する物理アップリンク制御チャネル（ＰＵＣＣＨ）を搬送することと、
セルの前記第１のセットのうちの最低セルインデックスを含めることと、
セルの前記第１のセットが同じ間欠受信（ＤＲＸ）構成を有することを可能にすることと、
前記第１のネットワークエンティティ上で競合ベースランダムアクセスと競合なしランダムアクセスの一方または両方のためのランダムアクセスリソースを構成して提供することと、
ダウンリンク許可がＰＵＣＣＨに関する送信電力制御（ＴＰＣ）コマンドを搬送することを可能にすることと、
セルの前記第１のセット中のセルに関する経路損失推定を可能にすることと
を行うように構成され、
ここにおいて、前記第１の１次セルは、共通探索空間と、半永続的スケジューリングとを有する、装置。
【請求項３２】
プロセッサによって実行されたとき、前記プロセッサが以下の機能を行うことを可能にする、コンピュータ実行可能コードを記憶する非一時的コンピュータ可読記憶媒体であって、前記非一時的コンピュータ可読記憶媒体は、
セルの第２のセット中のセルを第２の１次セルとして動作させるように、およびセルの前記第２のセットが同じＤＲＸ構成を有することを可能にするように、
第２のネットワークエンティティを構成するためのコードと、
ワイヤレスデバイスが、第１の１次セルを有するセルの第１のセットを動作させる第１のネットワークエンティティと通信している間に前記第２のネットワークエンティティと通信するために、前記第２の１次セルを通じて構成情報を前記ワイヤレスデバイスに送信するためのコードとを備え、
ここにおいて、前記第１の１次セルは、
セルの前記第１のセット中のセルに関する物理アップリンク制御チャネル（ＰＵＣＣＨ）を搬送することと、
セルの前記第１のセットのうちの最低セルインデックスを含めることと、
セルの前記第１のセットが同じ間欠受信（ＤＲＸ）構成を有することを可能にすることと、
前記第１のネットワークエンティティ上で競合ベースランダムアクセスと競合なしランダムアクセスの一方または両方のためのランダムアクセスリソースを構成して提供することと、
ダウンリンク許可がＰＵＣＣＨに関する送信電力制御（ＴＰＣ）コマンドを搬送することを可能にすることと、
セルの前記第１のセット中のセルに関する経路損失推定を可能にすることと
を行うように構成され、
ここにおいて、前記第１の１次セルは、共通探索空間と、半永続的スケジューリングとを有する、非一時的コンピュータ可読記憶媒体。
【請求項３３】
ワイヤレス通信においてデータをアグリゲートするためのネットワークデバイスであって、
プロセッサと、
前記プロセッサに結合されたメモリと
を備え、前記メモリは、
セルの第２のセット中のセルを第２の１次セルとして動作させるように、およびセルの前記第２のセットが同じＤＲＸ構成を有することを可能にするように、第２のネットワークエンティティを構成することと、
ワイヤレスデバイスが、第１の１次セルを有するセルの第１のセットを動作させる第１のネットワークエンティティと通信している間に前記第２のネットワークエンティティと通信するために、前記第２の１次セルを通じて構成情報を前記ワイヤレスデバイスに送信することと
を行うように前記プロセッサによって実行可能な命令を含み、
前記第１の１次セルは、
セルの前記第１のセット中のセルに関する物理アップリンク制御チャネル（ＰＵＣＣＨ）を搬送することと、
セルの前記第１のセットのうちの最低セルインデックスを含めることと、
セルの前記第１のセットが同じ間欠受信（ＤＲＸ）構成を有することを可能にすることと、
前記第１のネットワークエンティティ上で競合ベースランダムアクセスと競合なしランダムアクセスの一方または両方のためのランダムアクセスリソースを構成して提供することと、
ダウンリンク許可がＰＵＣＣＨに関する送信電力制御（ＴＰＣ）コマンドを搬送することを可能にすることと、
セルの前記第１のセット中のセルに関する経路損失推定を可能にすることと
を行うように構成され、
ここにおいて、前記第１の１次セルは、共通探索空間と、半永続的スケジューリングとを有する、ネットワークデバイス。
【発明の詳細な説明】
【技術分野】
【０００１】
優先権の主張
[0001]本特許出願は、本出願の譲受人に譲渡され、本明細書によって参照により明確に組み込まれる、２０１４年１０月２３日に出願された「Techniques for Using Carrier Aggregation in Dual Connectivity Wireless Communications」と題する米国非仮出願第１４／５２２，３８６号、および２０１３年１１月１日に出願された「Techniques for Using Carrier Aggregation in Dual Connectivity Wireless Communications」と題する米国仮出願第６１／８９９，１２７号の優先権を主張する。
【０００２】
[0002]本開示の態様は、一般にワイヤレス通信に関し、より詳細には、デュアル接続性ワイヤレス通信（dual connectivity wireless communication）におけるキャリアアグリゲーションを使用するための技法に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ：user equipment）のための通信をサポートすることができるいくつかの基地局（たとえば、ｅノードＢ）を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]ワイヤレス通信の性能を改善するために、帯域幅を増加させ、それによりビットレートを増加させるためにＵＥと通信するときにコンポーネントキャリア（ＣＣ：component carrier）をアグリゲートすることが望ましいことがある。そのようなアグリゲーションが同じｅノードＢから、または、コロケートされた基地局（たとえば、ｅノードＢおよび／またはアクセスポイント（ＡＰ））から発生するコンポーネントキャリアに関与するとき、ｅノードＢ中の内部通信を通じて、またはコロケートされた基地局間の高速接続を通じて、アグリゲートされたコンポーネントキャリアの動作を協調させることが可能であり得る。しかしながら、他のシナリオでは、コンポーネントキャリアのアグリゲーションを協調させる能力は、より困難になる。
【０００６】
[0006]上記に鑑みて、現在のキャリアアグリゲーション技術に関連する重要な問題および短所があり得ることが理解され得る。
【発明の概要】
【０００７】
[0007]本開示の態様は、一般にワイヤレス通信に関し、より詳細には、デュアル接続性ワイヤレス通信におけるキャリアアグリゲーションを使用するための技法に関する。たとえば、ワイヤレスデバイスが、コロケートされないネットワークエンティティに接続されるときにキャリアアグリゲーションを使用するための技法について本明細書で説明する。デュアル接続性ワイヤレス通信では、ワイヤレスデバイスは、２つ以上のネットワークエンティティ（たとえば、ｅノードＢおよび／またはアクセスポイント（ＡＰ））に通信可能に接続され得る。
【０００８】
[0008]一態様によれば、ワイヤレスデバイス（たとえば、ＵＥ）が、第１のネットワークエンティティ（たとえば、マスタｅノードＢ（ＭｅノードＢまたはＭｅＮＢ））の第１の１次セル（たとえば、マスタセルグループ１次セルまたはＰセル）を通じて第１のネットワークエンティティと通信するために第１の構成情報を受信し得る。ワイヤレスデバイスは、第２のネットワークエンティティ（たとえば、２次ｅノードＢ（ＳｅノードＢまたはＳｅＮＢ））の第２の１次セル（たとえば、２次セルグループ１次セルまたはＰセルＳＣＧ）を通じて第２のネットワークエンティティと通信するために第２の構成情報を受信し得る。第２のネットワークエンティティは第１のネットワークエンティティとコロケートされないことがある。ワイヤレスデバイス中の情報コンバージェンスエンティティは、ワイヤレスデバイスが第１のネットワークエンティティおよび第２のネットワークエンティティと通信しているとき、ネットワークエンティティから受信された第１の構成情報と第２の構成情報とをアグリゲートし得る。
【０００９】
[0009]別の態様によれば、ワイヤレスデバイスにおいて、第１のネットワークエンティティの第１の１次セルを通じて第１のネットワークエンティティと通信するために第１の構成情報を受信するための手段と、ワイヤレスデバイスにおいて、第２のネットワークエンティティの第２の１次セルを通じて第２のネットワークエンティティと通信するために第２の構成情報を受信するための手段と、ワイヤレスデバイス中の情報コンバージェンスエンティティにおいて、ワイヤレスデバイスが第１のネットワークエンティティおよび第２のネットワークエンティティと通信しているとき、第１のネットワークエンティティからの第１の構成情報と、第２のネットワークエンティティからの第２の構成情報とをアグリゲートするための手段とを含む、ワイヤレス通信においてデータをアグリゲートするための装置について説明する。
【００１０】
[0010]また別の態様によれば、ワイヤレスデバイスにおいて、第１のネットワークエンティティの第１の１次セルを通じて第１のネットワークエンティティと通信するために第１の構成情報を受信するためのコードと、ワイヤレスデバイスにおいて、第２のネットワークエンティティの第２の１次セルを通じて第２のネットワークエンティティと通信するために第２の構成情報を受信するためのコードと、ワイヤレスデバイス中の情報コンバージェンスエンティティにおいて、ワイヤレスデバイスが第１のネットワークエンティティおよび第２のネットワークエンティティと通信しているとき、第１のネットワークエンティティからの第１の構成情報と、第２のネットワークエンティティからの第２の構成情報とをアグリゲートするためのコードとを含むコンピュータ実行可能コードを記憶するコンピュータ可読媒体について説明する。
【００１１】
[0011]また別の態様によれば、第１のネットワークエンティティの第１の１次セルを通じて第１のネットワークエンティティと通信するために第１の構成情報を受信するように構成されたキャリアアグリゲーションマネージャコンポーネントと、キャリアアグリゲーションマネージャコンポーネントが、第２のネットワークエンティティの第２の１次セルを通じて第２のネットワークエンティティと通信するために第２の構成情報を受信するようにさらに構成され、を含む、ワイヤレス通信においてデータをアグリゲートするための通信デバイスについて説明する。本通信デバイスはまた、ワイヤレスデバイスが第１のネットワークエンティティおよび第２のネットワークエンティティと通信しているとき、第１のネットワークエンティティからの第１の構成情報と、第２のネットワークエンティティからの第２の構成情報とをアグリゲートするように構成された情報コンバージェンスエンティティを含み得る。
【００１２】
[0012]別の態様によれば、第２のネットワークエンティティ（たとえば、ＳｅノードＢまたはＳｅＮＢ）が、セルの第２のセット中のセルを第２の１次セル（たとえば、ＰセルＳＣＧ）として動作させるように構成され得る。第２のネットワークエンティティは、ワイヤレスデバイスが、第１の１次セル（たとえば、Ｐセル）を有するセルの第１のセットを動作させる第１のネットワークエンティティ（たとえば、ＭｅノードＢまたはＭｅＮＢ）と通信している間に第２のネットワークエンティティと通信するために、第２の１次セル（たとえば、ＰセルＳＣＧ）を通じて構成情報をワイヤレスデバイスに送信し得る。第１のネットワークエンティティは第２のネットワークエンティティとコロケートされないことがある。
【００１３】
[0013]別の態様によれば、セルの第２のセット中のセルを第２の１次セルとして動作させるように第２のネットワークエンティティを構成するための手段と、ワイヤレスデバイスが、第１の１次セルを有するセルの第１のセットを動作させる第１のネットワークエンティティと通信している間に第２のネットワークエンティティと通信するために、第２の１次セルを通じて構成情報をワイヤレスデバイスに送信するための手段とを含む、ワイヤレス通信においてデータをアグリゲートするための装置について説明される。
【００１４】
[0014]また別の態様によれば、セルの第２のセット中のセルを第２の１次セルとして動作させるように第２のネットワークエンティティを構成するためのコードと、ワイヤレスデバイスが、第１の１次セルを有するセルの第１のセットを動作させる第１のネットワークエンティティと通信している間に第２のネットワークエンティティと通信するために、第２の１次セルを通じて構成情報をワイヤレスデバイスに送信するためのコードとを含むコンピュータ実行可能コードを記憶するコンピュータ可読記憶媒体について説明される。
【００１５】
[0015]また別の態様によれば、セルの第２のセット中のセルを第２の１次セルとして動作させるように第２のネットワークエンティティを構成するように構成されるキャリアアグリゲーションマネージャコンポーネントを含む、ワイヤレス通信においてデータをアグリゲートするためのネットワークデバイスについて説明する。本ネットワークデバイスはまた、ワイヤレスデバイスが、第１の１次セルを有するセルの第１のセットを動作させる第１のネットワークエンティティと通信している間に第２のネットワークエンティティと通信するために、第２の１次セルを通じて構成情報をワイヤレスデバイスに送信するように構成された送信機コンポーネントを含み得る。
【００１６】
[0016]本開示の様々な態様および特徴について、添付の図面において示されるように、それの様々な例を参照しながら以下でさらに詳細に説明する。本開示について様々な例を参照しながら以下で説明するが、本開示はそれに制限されないことを理解されたい。本明細書の教示へのアクセスを有する当業者は、追加の実装形態、変更形態、および例、ならびに本明細書で説明する本開示の範囲内に入り、それに関して本開示が著しく有用であり得る他の使用分野を認識されよう。
【図面の簡単な説明】
【００１７】
[0017]本開示のより完全な理解を可能にするために、次に添付の図面を参照し、そこにおいて、同様の数字を用いて同様の要素が参照される。これらの図面は、本開示を限定するものとして解釈すべきではなく、例示的なものにすぎない。
【図１】[0018]本開示の一態様による、ワイヤレス通信システムの一例を概念的に示すブロック図。
【図２】[0019]本開示の一態様による、ｅノードＢとＵＥとの例を概念的に示すブロック図。
【図３】[0020]本開示の一態様による、ＵＥにおける無線アクセス技術のアグリゲーションを概念的に示すブロック図。
【図４】[0021]本開示の一態様による、ＵＥとパケットデータネットワーク（ＰＤＮ：packet data network）との間のデータ経路の一例を概念的に示すブロック図。
【図５】[0022]本開示の一態様による、複数接続性キャリアアグリゲーションを概念的に示す図。
【図６】[0023]本開示の一態様による、構成されたコンポーネントを有するＵＥの一例を概念的に示すブロック図。
【図７】[0024]本開示の一態様による、デュアル接続性でのノード内のキャリアアグリゲーションの一例を概念的に示す図。
【図８】[0025]本開示の一態様による、構成されたコンポーネントを有する２次ｅノードＢの一例を概念的に示すブロック図。
【図９】[0026]本開示の一態様による、処理システムを採用する装置のための例示的なハードウェア実装形態を概念的に示すブロック図。
【図１０】[0027]本開示の一態様による、ＵＥにおけるデュアル接続性でのキャリアアグリゲーションのための方法を示すフローチャート。
【図１１】[0028]本開示の一態様による、２次ｅノードＢにおけるデュアル接続性でのキャリアアグリゲーションのための方法を示すフローチャート。
【発明を実施するための形態】
【００１８】
[0029]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造およびコンポーネントをブロック図の形式で示す。
【００１９】
[0030]ワイヤレスデバイスが２つ以上のネットワークエンティティに接続されたとき（たとえば、複数接続性）のキャリアアグリゲーションのための様々な方法、装置、デバイスおよびシステムについて説明する。いくつかの態様では、ワイヤレスデバイス（たとえば、ＵＥ）は、第１のネットワークエンティティ（たとえば、ＭｅノードＢまたはＭｅＮＢとも呼ばれるマスタｅノードＢ）の第１の１次セル（たとえば、マスタセルグループ１次セルまたはＰセル）を通じて第１のネットワークエンティティと通信するために第１の構成情報を受信し得る。ワイヤレスデバイスは、第２のネットワークエンティティ（たとえば、ＳｅノードＢまたはＳｅＮＢとも呼ばれる２次ｅノードＢ）の第２の１次セル（たとえば、２次セルグループ１次セルまたはＰセルＳＣＧ）を通じて第２のネットワークエンティティと通信するために第２の構成情報を受信し得る。第２のネットワークエンティティは第１のネットワークエンティティとコロケートされないことがある。たとえば、第２のネットワークエンティティは第１のネットワークエンティティとは異なり得、第１のネットワークエンティティと第２のネットワークエンティティとは通信リンク（たとえば、バックホールＸ２通信リンク）を介して接続され得る。ワイヤレスデバイス中の情報コンバージェンスエンティティは、ワイヤレスデバイスが第１のネットワークエンティティおよび第２のネットワークエンティティと通信（たとえば、同時通信）しているとき、第１のネットワークエンティティと第２のネットワークエンティティとから受信された構成情報をアグリゲートし得る。
【００２０】
[0031]複数接続性のいくつかの態様では、ワイヤレスデバイスは複数のネットワークエンティティに通信可能に結合され得る。たとえば、第１のネットワークエンティティ（たとえば、ＭｅノードＢまたはＭｅＮＢ）は、１つ以上のセルを含むマスタセルグループ（ＭＣＧ：master cell group）を動作させるように構成され得る（たとえば、ＭＣＧ中の各セルは、異なる周波数帯域中で動作し得、１つ以上のコンポーネントキャリア（ＣＣ）を含み得る）。ＭＣＧ中のセルは、ＭＣＧの第１の１次セル（たとえば、Ｐセル）として指定または構成され得る。第２のネットワークエンティティ（たとえば、ＳｅノードＢまたはＳｅＮＢ）は、１つ以上のセルを含む２次セルグループ（ＳＣＧ：secondary cell group）を動作させるように構成され得る（たとえば、ＳＣＧ中の各セルは、異なる周波数帯域中で動作し得、１つ以上のコンポーネントキャリア（ＣＣ）を含み得る）。ＳＣＧ中のセルは、ＳＣＧの第１の１次セル（たとえば、ＰセルＳＣＧ）として指定または構成され得る。たとえば、ワイヤレスデバイスは、第１の１次セル（たとえば、Ｐセル）を介して第１のネットワークエンティティから構成情報を受信し、第２の１次セル（たとえば、ＰセルＳＣＧ）を介して第２のネットワークエンティティから構成情報を受信し得る。第１のネットワークエンティティは第２のネットワークエンティティとコロケートされないことがある。ＭｅＮＢとＳｅＮＢとへのワイヤレスデバイスの接続性の態様は、様々なプロシージャ（たとえば、物理レイヤ（ＰＨＹ：physical layer）プロシージャおよび／またはメディアアクセス制御（ＭＡＣ：media access control）レイヤプロシージャ）への変更および／または拡張を含み得る。
【００２１】
[0032]いくつかの態様では、ワイヤレスデバイス（たとえば、ＵＥ）が１つのＭｅＮＢと１つのＳｅＮＢとに接続されたとき（たとえば、デュアル接続性）、タイミングアドバンストグループ（ＴＡＧ：timing advanced group）は、１つのただ１つのｅＮＢのセルを含み得る。ＭｅＮＢ中にあるＰセルがあり、ＳｅＮＢ中に別のＰセルがあるか、またはワイヤレスデバイスごとにただ１つのＰセルがあるデュアル接続性でのインスタンスがあり得る。デュアル接続性でのキャリアアグリゲーション（ＣＡ：carrier aggregation）に関して、無線リソース制御（ＲＲＣ：radio resource control）構成によるパケットおよび／またはベアラアグリゲーションが、異なる構成のためにプロトコルスタックの変更の数を制限することを可能にすることが望ましいことがある。たとえば、ＳｅＮＢに向けて可能にされる競合ベースランダムアクセス（ＲＡ）プロシージャおよび競合なしランダムアクセス（ＲＡ）プロシージャ（たとえば、ＳｅＮＢによって送られるメッセージ２）と、（可能な協調を用いた）ＭｅＮＢおよびＳｅＮＢにおける別個の間欠受信（ＤＲＸ：discontinuous reception）プロシージャとを含み、ワイヤレスデバイスに、ベアラアグリゲーションのためのバッファステータス報告（ＢＳＲ：buffer status report）をベアラがサービスされるｅＮＢに対して送らせることは望ましいことがある。望ましいことがある他の態様は、パケットアグリゲーションのためのＢＳＲと、電力ヘッドルーム報告（ＰＨＲ：power headroom reporting）と、電力制御と、サウンディング基準信号（ＳＲＳ：sounding reference signal）と、論理チャネル（ＬＣ：logical channel）優先度付けとを送ることを含む。
【００２２】
[0033]他の態様では、デュアル接続性または複数接続性に関連するキャリアアグリゲーションプロシージャは、いくつかのＰセル固有機能を含み得る。たとえば、Ｐセルは、いくつかの例を挙げれば、物理アップリンク制御チャネル（ＰＵＣＣＨ：physical uplink control channel）、競合ベースランダムアクセス制御チャネル（ＲＡＣＨ：random access control channel）、および半永続的スケジューリングなどのいくつかの機能を扱い得る。デュアル接続性では、キャリアアグリゲーションは、いくつかの拡張または変更を伴い得る。これらの拡張または変更のうちのいくつかは、たとえば、キャリアアグリゲーションのためにワイヤレスデバイス（たとえば、ＵＥ）ごとに合計５つのコンポーネントキャリアを有することを含み得る。別の拡張または変更は、たとえば、キャリアアグリゲーションのためにＵＥごとに４つのＴＡＧを有することを含み得る。その上、キャリアアグリゲーションは、ＭｅＮＢにおいて、およびＳｅＮＢにおいてサポートされ得、すなわち、ＭｅＮＢおよびＳｅＮＢは、ワイヤレスデバイスのための複数のサービスセルを有し得る。さらに、および本明細書で説明するように、マスタセルグループまたはＭＣＧは、ＭｅＮＢに関連するサービングセルのグループであり得、２次セルグループまたはＳＣＧは、ＳｅＮＢに関連するサービングセルのグループであり得る。
【００２３】
[0034]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡはＵＭＴＳの一部である。３ＧＰＰ（登録商標）ロングタームエボリューション（ＬＴＥ（登録商標）：Long Term Evolution）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術に使用され得る。明快のために、本技法のいくつかの態様について以下ではＬＴＥに関して説明し、以下の説明の大部分でＬＴＥ用語を使用する。
【００２４】
[0035]図１は、本開示の一態様による、ワイヤレス通信システム１００の一例を概念的に示すブロック図である。たとえば、通信システム１００の少なくとも部分は、デュアル接続性でのキャリアアグリゲーションを実装するために構成され得る。いくつかの態様では、キャリアアグリゲーションは、ベアラアグリゲーションおよび／またはパケットアグリゲーションを伴い得る。ワイヤレス通信システム１００は、基地局（またはセル）１０５と、ユーザ機器（ＵＥ）１１５と、コアネットワーク１３０とを含む。基地局１０５は、様々な実施形態ではコアネットワーク１３０または基地局１０５の一部であり得る、基地局コントローラ（図示せず）の制御下でＵＥ１１５と通信し得る。基地局１０５は、第１のバックホールリンク１３２を通じてコアネットワーク１３０と制御情報および／またはユーザデータを通信し得る。実施形態では、基地局１０５は、有線またはワイヤレス通信リンクであり得る第２のバックホールリンク１３４を介して互いと直接または間接的に通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。ワイヤレス通信システム１００はまた、複数のフロー上での動作を同時にサポートし得る。いくつかの態様では、複数のフローは、複数のワイヤレスワイドエリアネットワーク（ＷＷＡＮ：wireless wide area network）またはセルラーフローに対応し得る。他の態様では、複数のフローは、ＷＷＡＮまたはセルラーフローとワイヤレスローカルエリアネットワーク（ＷＬＡＮ：wireless local area network）またはＷｉ−Ｆｉフローとの組合せに対応し得る。
【００２５】
[0036]基地局１０５は、１つ以上の基地局アンテナを介して、ＵＥ１１５とワイヤレスに通信し得る。基地局１０５のサイトの各々は、それぞれの地理的カバレージエリア１１０に通信カバレージを提供し得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。上記で説明したように、マスタｅノードＢは、ＭｅノードＢまたはＭｅＮＢと呼ばれることもあり、２次ｅノードＢは、ＳｅノードＢまたはＳｅＮＢと呼ばれることもある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロ基地局、マイクロ基地局、および／またはピコ基地局）を含み得る。異なる技術のための重複するカバレージエリアがあり得る。
【００２６】
[0037]実装形態では、ワイヤレス通信システム１００はＬＴＥ／ＬＴＥ−Ａネットワーク通信システムである。ＬＴＥ／ＬＴＥ−Ａネットワーク通信システムでは、発展型ノードＢ（ｅノードＢ）という用語は、概して、基地局１０５を記述するために使用され得る。ワイヤレス通信システム１００は、異なるタイプのｅノードＢが様々な地理的領域にカバレージを提供する、異種ＬＴＥ／ＬＴＥ−Ａネットワークであり得る。たとえば、各ｅノードＢ１０５は、マクロセル、ピコセル、フェムトセル、および／または他のタイプのセルに通信カバレージを与え得る。マクロセルは、概して、比較的大きい地理的エリア（たとえば、半径数キロメートル）をカバーし、ネットワークプロバイダのサービスに加入しているＵＥ１１５による無制限アクセスを可能にし得る。ピコセルは、概して、比較的小さい地理的エリア（たとえば、建築物）をカバーすることになり、ネットワークプロバイダのサービスに加入しているＵＥ１１５による無制限アクセスを可能にし得る。また、フェムトセルは、概して、比較的小さい地理的エリア（たとえば、自宅）をカバーすることになり、無制限アクセスに加えて、フェムトセルとの関連を有するＵＥ１１５（たとえば、限定加入者グループ（ＣＳＧ：closed subscriber group）中のＵＥ１１５、自宅内のユーザのためのＵＥ１１５など）による限定アクセスをも可能にし得る。マクロセルに関するｅノードＢ１０５はマクロｅノードＢと呼ばれることがある。ピコセルに関するｅノードＢ１０５はピコｅノードＢと呼ばれることがある。また、フェムトセルに関するｅノードＢ１０５はフェムトｅノードＢまたはホームｅノードＢと呼ばれることがある。ｅノードＢ１０５は、１つ以上の（たとえば、２つ、３つ、４つなどの）セルをサポートし得る。ワイヤレス通信システム１００は、ＵＥ１１５のうちの１つまたは複数によってＬＴＥおよびＷＬＡＮまたはＷｉ−Ｆｉの使用をサポートし得る。
【００２７】
[0038]「スモールセル」という用語は、アクセスポイントまたは基地局、あるいはアクセスポイントまたは基地局の対応するカバレージエリアを指すことがあり、ここで、この場合のアクセスポイントまたは基地局は、たとえば、マクロネットワークアクセスポイントまたはマクロセルの送信電力あるいはカバレージエリアと比較して、比較的低い送信電力あるいは比較的小さいカバレージを有する。たとえば、上述のように、マクロセルは、限定はしないが、半径数キロメートルなど、比較的大きい地理的エリアをカバーし得る。対照的に、スモールセルは、限定はしないが、自宅、建築物、または建築物のフロアなど、比較的小さい地理的エリアをカバーし得る。したがって、スモールセルは、限定はしないが、基地局（ＢＳ）、アクセスポイント、フェムトノード、フェムトセル、ピコノード、マイクロノード、ノードＢ、発展型ノードＢ（ｅＮＢ）、ホームノードＢ（ＨＮＢ：home Node B）またはホーム発展型ノードＢ（ＨｅＮＢ：home evolved Node B）など、装置を含み得る。したがって、「スモールセル」という用語は、マクロセルと比較して比較的低い送信電力および／または比較的小さいカバレージエリアセルを指すために使用され得る。いくつかの実装形態では、ＭｅＮＢに関連する１つ以上のセル、および／またはＳｅＮＢに関連する１つ以上のセルはスモールセルであり得る。
【００２８】
[0039]コアネットワーク１３０は、第１のバックホールリンク１３２（たとえば、Ｓ１インターフェースなど）を介してｅノードＢ１０５または他の基地局１０５と通信し得る。ｅノードＢ１０５はまた、たとえば、第２のバックホールリンク１３４（たとえば、Ｘ２インターフェースなど）を介しておよび／または第１のバックホールリンク１３２を介して（たとえば、コアネットワーク１３０を通じて）直接または間接的に、互いと通信し得る。ワイヤレス通信システム１００は同期動作または非同期動作をサポートし得る。同期動作の場合、ｅノードＢ１０５は同様のフレームタイミングを有し得、異なるｅノードＢ１０５からの送信は近似的に時間的に整合され得る。非同期動作の場合、ｅノードＢ１０５は異なるフレームタイミングを有し得、異なるｅノードＢ１０５からの送信は時間的に整合されないことがある。本明細書で説明する技法は、同期動作または非同期動作のいずれかのために使用され得る。
【００２９】
[0040]ＵＥ１１５は、ワイヤレス通信システム１００全体にわたって分散され得、各ＵＥ１１５は固定または移動であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、モノのインターネット（ＩｏＴ）のためのデバイスなどであり得る。ＵＥ１１５は、マクロｅノードＢ、ピコｅノードＢ、フェムトｅノードＢ、リレーなどと通信することが可能であり得る。
【００３０】
[0041]ワイヤレス通信システム１００に示された通信リンク１２５は、ＵＥ１１５からｅノードＢ１０５へのアップリンク（ＵＬ）送信および／またはｅノードＢ１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。
【００３１】
[0042]ワイヤレス通信システム１００のいくつかの態様では、ＵＥ１１５は、２つまたはそれ以上のｅノードＢ１０５とのキャリアアグリゲーション（ＣＡ）をサポートするように構成され得る。キャリアアグリゲーションは、いくつかの態様では、ベアラアグリゲーションとパケットアグリゲーションの一方または両方を含み得る。各アグリゲートされたキャリアはコンポーネントキャリア（ＣＣ）と呼ばれることがあり、個々のコンポーネントキャリアは同じまたは異なる帯域幅を有し得る。アップリンク（ＵＬ）のために使用されるコンポーネントキャリアの数は、ダウンリンク（ＤＬ）のために使用されるコンポーネントキャリアの数と同じであるか、またはそれよりも小さいことがある。キャリアアグリゲーションのために使用されるｅノードＢ１０５はコロケートされ得るか、または高速接続を通じて接続され得る。いずれの場合も、ＵＥ１１５とｅノードＢ１０５との間のワイヤレス通信のためのコンポーネントキャリアのアグリゲーションを協調させることは、情報がキャリアアグリゲーションを実行するために使用されている様々なセル間で容易に共有され得るので、より容易に行われ得る。キャリアアグリゲーションのために使用されるｅノードＢ１０５がコロケートされない（たとえば、遠くに離れているかまたはそれらの間の高速接続を有しない）とき、コンポーネントキャリアのアグリゲーションを協調させることは、本明細書で説明する追加の態様を伴い得る。たとえば、デュアル接続性（たとえば、２つのコロケートされないｅノードＢ１０５に接続されたＵＥ１１５）のためのキャリアアグリゲーションでは、ＵＥ１１５は、第１のｅノードＢ１０５（たとえば、ＳｅノードＢまたはＳｅＮＢ）の１次セルを通じて第１のｅノードＢ１０５と通信するために構成情報を受信し得る（たとえば、図５を参照）。第１のｅノードＢ１０５は、第１のｅノードＢ１０５の、１つ以上の２次セルと１次セルまたはＰセルＳＣＧとを含む２次セルグループまたはＳＣＧと呼ばれるセルのグループを含み得る。ＵＥ１１５はまた、第２のｅノードＢ１０５（たとえば、ＭｅノードＢまたはＭｅＮＢ）の第２の１次セルを通じて第２のｅノードＢ１０５と通信するために構成情報を受信し得る。第２のｅノードＢ１０５は、第２のｅノードＢ１０５の、１つ以上の２次セルと１次セルまたはＰセルとを含むマスタセルグループまたはＭＣＧと呼ばれるセルのグループを含み得る。上記のように、第１および第２のｅノードＢ１０５はコロケートされないことがあるか、またはそれらの間に高速接続を有しないことがあり、その場合、キャリアアグリゲーションは、そのようなエンティティがコロケートされたか、またはそれらの間に高速接続を有するときとは異なる態様を伴い得る。ＵＥ１１５は、ＵＥ１１５が第１のｅノードＢ１０５および第２のｅノードＢ１０５と同時通信しているとき、両方のｅノードＢから受信された情報（たとえば、データパケット）をアグリゲートし得る情報コンバージェンスエンティティ（たとえば、以下で説明する図６中の情報コンバージェンスエンティティコンポーネント６７０を参照）を含み得る。情報コンバージェンスエンティティは、異なるコンポーネントキャリア上で通信されるデータがＵＥ１１５においてアグリゲートされるかまたは組み合わせられることを可能にし得る。
【００３２】
[0043]ワイヤレス通信システム１００のいくつかの態様では、デュアル接続性のためのキャリアアグリゲーションは、２次ｅノードＢ１０５（たとえば、ＳｅノードＢまたはＳｅＮＢ）がそれのセルのうちの１つをＰセルＳＣＧとして動作させるように構成されることを伴い得る。２次ｅノードＢ１０５は、ＵＥ１１５がマスタｅノードＢ１０５（たとえば、ＭｅノードＢまたはＭｅＮＢ）と通信している間にＵＥ１１５が２次ｅノードＢ１０５と通信するためにＰセルＳＣＧを通じて構成情報をＵＥ１１５に送信し得る。マスタｅノードＢ１０５は、同じＵＥ１１５が他方のｅノードＢ１０５と通信するために、それのＰセルを介してそのＵＥ１１５に構成情報を送信し得る。２つのｅノードＢ１０５はコロケートされないことがある。いくつかの実装形態では、本明細書で説明する特徴、態様、および／または技法は、ＵＥ（たとえば、ＵＥ１１５）とｅノードＢとの間に複数の接続があるシナリオに適用され得る。そのようなシナリオでは、いくつかのｅノードＢのうちの１つはＭｅノードＢまたはＭｅＮＢとして動作し得る。
【００３３】
[0044]通信システム１００のいくつかの態様では、デュアル接続性でのＵＥ１１５の場合、Ｐセルは、ＭｅＮＢとして動作するｅノードＢ１０５中で実装され得、ＰセルＳＣＧは、ＳｅＮＢとして動作する別のｅノードＢ１０５中で実装され得る。異なる実装形態では、デュアル接続性でのＵＥ１１５ごとに１つのＰセルがあり得る。この後者の場合、Ｐセルに関係する上位レイヤ機能は変更される必要はなく、プロトコル仕様に対する影響を最小限に抑えるかまたは低減するような方法で他の機能が実装され得る。１つの手法は、初期構成、セキュリティ、システム情報、および／または無線リンク障害（ＲＬＦ）に関して、ＰセルにそれのＵＥごとの機能を保持させることを含み得る。Ｐセルは、ＭｅＮＢに関連するＭＣＧに属する、ＭｅＮＢのセルのうちの１つとして構成され得る（たとえば、図５を参照）。ＰＵＣＣＨはＰセルの構成において使用され得る。その上、Ｐセルは、ＭＣＧ内で下位レイヤ機能を与え得る。
【００３４】
[0045]図２は、本開示の一態様に従って構成されたｅノードＢ２１０とＵＥ２５０との例を概念的に示すブロック図である。たとえば、システム２００の基地局／ｅノードＢ２１０およびＵＥ２５０は、図２に示されているように、それぞれ図１中の基地局／ｅノードＢのうちの１つおよびＵＥのうちの１つであり得る。いくつかの態様では、ｅノードＢ２１０は、複数接続性（たとえば、デュアル接続性）キャリアアグリゲーションをサポートし得るか、またはそれに関連して使用され得る。一態様では、ｅノードＢ２１０は、それのＭＣＧ中のセルのうちの１つがＰセルとして構成された、ＭｅノードＢまたはＭｅＮＢであり得る。別の態様では、ｅノードＢ２１０は、それのＳＣＧ中のそれのセルのうちの１つがＰセルＳＣＧとして構成された、ＳｅノードＢまたはＳｅＮＢであり得る。いくつかの態様では、ＵＥ２５０も、複数接続性キャリアアグリゲーションをサポートし得る。たとえば、ＵＥ２５０は、異なるｅノードＢからの構成情報などの情報をアグリゲートするように構成され得る。ＵＥ２５０は、Ｐセルおよび／またはＰセルＳＣＧを介してｅノードＢ２１０から構成情報を受信し得る。ｅノードＢ２１０はアンテナ２３４１〜ｔを装備し得、ＵＥ２５０はアンテナ２５２１〜ｒを装備し得、ここにおいて、ｔおよびｒは１以上の整数である。
【００３５】
[0046]ｅノードＢ２１０において、基地局送信プロセッサ２２０は、基地局データソース２１２からデータを受信し、基地局コントローラ／プロセッサ２４０から制御情報を受信し得る。制御情報は、ＰＢＣＨ、ＰＣＦＩＣＨ、ＰＨＩＣＨ、ＰＤＣＣＨなどの上で搬送され得る。データは、ＰＤＳＣＨなどの上で搬送され得る。基地局送信プロセッサ２２０は、それぞれデータシンボルと制御シンボルとを取得するためにデータおよび制御情報を処理（たとえば、符号化およびシンボルマッピング）し得る。基地局送信プロセッサ２２０はまた、たとえば、ＰＳＳ、ＳＳＳ、およびセル固有基準信号（ＲＳ：reference signal）のための基準シンボルを生成し得る。基地局送信（ＴＸ）多入力多出力（ＭＩＭＯ）プロセッサ２３０は、適用可能な場合、データシンボル、制御シンボル、および／または基準シンボルに対して空間処理（たとえば、プリコーディング）を実行し得、出力シンボルストリームを基地局変調器／復調器（ＭＯＤ／ＤＥＭＯＤ）２３２１〜ｔに与え得る。各基地局変調器／復調器２３２は、（たとえば、ＯＦＤＭなどのために）それぞれの出力シンボルストリームを処理して、出力サンプルストリームを取得し得る。各基地局変調器／復調器２３２はさらに、ダウンリンク信号を取得するために、出力サンプルストリームを処理（たとえば、アナログへの変換、増幅、フィルタ処理、およびアップコンバート）し得る。変調器／復調器２３２１〜ｔからのダウンリンク信号は、それぞれアンテナ２３４１〜ｔを介して送信され得る。
【００３６】
[0047]ＵＥ２５０において、ＵＥアンテナ２５２１〜ｒは、基地局２１０からダウンリンク信号を受信し得、受信信号をそれぞれＵＥ変調器／復調器（ＭＯＤ／ＤＥＭＯＤ）２５４１〜ｒに与え得る。各ＵＥ変調器／復調器２５４は、入力サンプルを取得するために、それぞれの受信信号を調整（たとえば、フィルタ処理、増幅、ダウンコンバート、およびデジタル化）し得る。各ＵＥ変調器／復調器２５４はさらに、受信シンボルを取得するために、（たとえば、ＯＦＤＭなどのために）入力サンプルを処理し得る。ＵＥ  ＭＩＭＯ検出器２５６は、すべてのＵＥ変調器／復調器２５４１〜ｒから受信シンボルを取得し、適用可能な場合は受信シンボルに対してＭＩＭＯ検出を実行し、検出シンボルを与え得る。ＵＥ受信プロセッサ２５８は、検出シンボルを処理（たとえば、復調、デインターリーブ、および復号）し、ＵＥ２５０の復号されたデータをＵＥデータシンク２６０に与え、復号された制御情報をＵＥコントローラ／プロセッサ２８０に与え得る。
【００３７】
[0048]アップリンク上では、ＵＥ２５０において、ＵＥ送信プロセッサ２６４は、ＵＥデータソース２６２から（たとえば、ＰＵＳＣＨのための）データを受信し、処理し得、ＵＥコントローラ／プロセッサ２８０から（たとえば、ＰＵＣＣＨのための）制御情報を受信し、処理し得る。ＵＥ送信プロセッサ２６４はまた、基準信号のための基準シンボルを生成し得る。ＵＥ送信プロセッサ２６４からのシンボルは、適用可能な場合はＵＥ  ＴＸ  ＭＩＭＯプロセッサ２６６によってプリコーディングされ、さらに（たとえば、ＳＣ−ＦＤＭなどのために）ＵＥ変調器／復調器２５４１〜ｒによって処理され、ｅノードＢ２１０に送信され得る。ｅノードＢ２１０において、ＵＥ２５０からのアップリンク信号は、基地局アンテナ２３４によって受信され、基地局変調器／復調器２３２によって処理され、適用可能な場合は基地局ＭＩＭＯ検出器236によって検出され、さらに基地局受信プロセッサ２３８によって処理されて、ＵＥ２５０によって送られた復号されたデータと制御情報とが取得され得る。基地局受信プロセッサ３３８は、復号されたデータを基地局データシンク２４６に与え、復号された制御情報を基地局コントローラ／プロセッサ２４０に与え得る。
【００３８】
[0049]基地局コントローラ／プロセッサ２４０およびＵＥコントローラ／プロセッサ２８０は、それぞれｅノードＢ２１０における動作およびＵＥ２５０における動作を指示し得る。ｅノードＢ２１０における基地局コントローラ／プロセッサ２４０および／または他のプロセッサおよびモジュールは、たとえば、図８および図９に示す機能ブロック、および／または本明細書で説明する技法またはプロシージャ（たとえば、図１１に示すフローチャート）のための他のプロセスの実行を実行または指示し得る。いくつかの態様では、これらの機能ブロックおよび／またはプロセスの実行の少なくとも一部分は、基地局コントローラ／プロセッサ２４０中のブロック２４１によって実行され得る。ブロック２４１、またはブロック２４１の動作の少なくとも部分は、ｅノードＢ２１０の他のプロセッサおよびモジュール中で実行され得ることを理解されたい。ＵＥ２５０におけるＵＥコントローラ／プロセッサ２８０ならびに／または他のプロセッサおよびモジュールはまた、たとえば、図６および／または図９に示す機能ブロック、および／または本明細書で説明する技法（たとえば、図１０に示すフローチャート）のための他のプロセスを実行するか、またはその実行を指示し得る。いくつかの態様では、これらの機能ブロックおよび／またはプロセスの実行の少なくとも一部分は、ＵＥコントローラ／プロセッサ２８０中のブロック２８１によって実行され得る。ブロック２８１、またはブロック２８１の動作の少なくとも部分は、ＵＥ２５０の他のプロセッサおよびモジュール中で実行され得ることを理解されたい。基地局メモリ２４２およびＵＥメモリ２８２は、それぞれｅノードＢ２１０およびＵＥ２５０のためのデータおよびプログラムコードを記憶し得る。たとえば、ＵＥメモリ２８２は、ｅノードＢ２１０によって与えられる複数接続性キャリアアグリゲーションのための構成情報を記憶し得る。スケジューラ２４４は、ダウンリンク上および／またはアップリンク上でのデータ送信のためにＵＥ２５０をスケジュールするために使用され得る。
【００３９】
[0050]一構成では、ｅノードＢ２１０は、セルのグループ中のセルを第１の１次セルとして動作させるように第１のネットワークエンティティを構成するための手段を含み得る。基地局２１０は、ワイヤレスデバイス（たとえば、ＵＥ２５０）が、第２の１次セルを有する第２のネットワークエンティティと同時通信している間に第１のネットワークエンティティと通信するために、第１の１次セルを通じて構成情報をワイヤレスデバイスに送信するための手段を含み得、ただし、第１のネットワークエンティティは第２のネットワークエンティティとコロケートされない。一態様では、上述の手段は、上述の手段によって具陳される機能を実行するように構成された、基地局コントローラ／プロセッサ２４０、ブロック２４１、基地局メモリ２４２、基地局送信プロセッサ２２０、基地局変調器／復調器２３２、および基地局アンテナ２３４であり得る。別の態様では、上述の手段は、上述の手段によって具陳される機能を実行するように構成されたモジュール、コンポーネント、または任意の装置であり得る。そのようなモジュール、コンポーネント、または装置の例について、図８および／または図９に関して説明されてもよい。
【００４０】
[0051]一構成では、ＵＥ２５０は、ワイヤレスデバイスにおいて、第１のネットワークエンティティの第１の１次セルを通じて第１のネットワークエンティティと通信するために構成情報を受信するための手段を含み得る。ＵＥ２５０は、ワイヤレスデバイスにおいて、第２のネットワークエンティティの第２の１次セルを通じて第２のネットワークエンティティと通信するために構成情報を受信するための手段を含み得、第２のネットワークエンティティは第１のネットワークエンティティとコロケートされない。ＵＥ２５０は、ワイヤレスデバイス中の情報コンバージェンスエンティティ（たとえば、図６中の情報コンバージェンスエンティティコンポーネント６７０を参照）において、ワイヤレスデバイスが第１のネットワークエンティティおよび第２のネットワークエンティティと通信しているとき、第１のネットワークエンティティと第２のネットワークエンティティとから受信された情報をアグリゲートするための手段を含み得る。一態様では、上述の手段は、上述の手段によって具陳される機能を実行するように構成された、ＵＥコントローラ／プロセッサ２８０、ブロック２８１、ＵＥメモリ２８２、ＵＥ受信プロセッサ２５８、ＵＥ  ＭＩＭＯ検出器２５６、ＵＥ変調器／復調器２５４、およびＵＥアンテナ２５２であり得る。別の態様では、上述の手段は、上述の手段によって具陳される機能を実行するように構成されたモジュール、コンポーネント、または任意の装置であり得る。そのようなモジュール、コンポーネント、または装置の例について、図６および／または図９に関して説明されてもよい。
【００４１】
[0052]図３は、本開示の一態様による、ＵＥにおける無線アクセス技術のアグリゲーションを概念的に示すブロック図である。アグリゲーションは、１つ以上のコンポーネントキャリア１〜Ｎ（ＣＣ１〜ＣＣＮ）を使用してｅノードＢ３０５−ａと通信し、ＷＬＡＮキャリア３４０を使用してＷＬＡＮアクセスポイント（ＡＰ）３０５−ｂと通信することができる、マルチモードＵＥ３１５を含むシステム３００中で行われ得る。マルチモードＵＥは、この例では、２つ以上の無線アクセス技術（ＲＡＴ）をサポートするＵＥを指すことがある。たとえば、ＵＥ３１５は、少なくともＷＷＡＮ無線アクセス技術（たとえば、ＬＴＥ）とＷＬＡＮ無線アクセス技術（たとえば、Ｗｉ−Ｆｉ）とをサポートする。マルチモードＵＥはまた、本明細書で説明するように、複数接続性（たとえば、デュアル接続性）キャリアアグリゲーションをサポートし得る。ＵＥ３１５は、図１、図２、図４、図５、図６、図７、および／または図８のＵＥのうちの１つの一例であり得る。ｅノードＢ３０５−ａは、図１、図２、図４、図５、図６、図７、および／の図８のｅノードＢまたは基地局のうちの１つの一例であり得る。ＡＰ３０５−ｂは図４のＡＰの一例であり得る。図３には、１つのＵＥ３０５、１つのｅノードＢ３０５−ａ、および１つのＡＰ３０５−ｂのみが示されているが、システム３００は、任意の数のＵＥ３０５、ｅノードＢ３０５−ａ、および／またはＡＰ３０５−ｂを含むことができることを諒解されたい。
【００４２】
[0053]ｅノードＢ３０５−ａは、ＬＴＥコンポーネントキャリアＣＣ１〜ＣＣＮ３３０上の順方向（ダウンリンク）チャネル３３２−１〜３３２−Ｎを介してＵＥ３１５に情報を送信することができる。さらに、ＵＥ３１５は、ＬＴＥコンポーネントキャリアＣＣ１〜ＣＣＮ上の逆方向（アップリンク）チャネル３３４−１〜３３４−Ｎを介してｅノードＢ３０５−ａに情報を送信することができる。同様に、ＡＰ３０５−ｂは、ＷＬＡＮキャリア３４０上の順方向（ダウンリンク）チャネル３５２を介してＵＥ３１５に情報を送信し得る。さらに、ＵＥ３１５は、ＷＬＡＮキャリア３４０の逆方向（アップリンク）チャネル３５４を介してＡＰ３０５−ｂに情報を送信し得る。キャリアアグリゲーションのために単一のｅノードＢ３０５−ａが示されているが、ＵＥ３１５が複数接続性で動作しているとき、同様の動作が複数のｅノードＢ３０５−ａ内で実装され得ることを理解されたい。たとえば、第１のｅノードＢ３０５−ａがＭｅＮＢとして動作し、第２のｅノードＢ３０５−ａがＳｅＮＢとして動作するとき、ＵＥ３１５に関して、デュアル接続性キャリアアグリゲーションが実行され得る。
【００４３】
[0054]図３ならびに開示する実施形態のいくつかに関連する他の図の様々なエンティティについて説明する際、説明の目的で、３ＧＰＰ  ＬＴＥまたはＬＴＥ−Ａワイヤレスネットワークに関連する名称が使用される。ただし、システム３００は、限定はしないが、ＯＦＤＭＡワイヤレスネットワーク、ＣＤＭＡネットワーク、３ＧＰＰ２  ＣＤＭＡ２０００ネットワークなどの他のネットワークにおいて動作することができることを諒解されたい。
【００４４】
[0055]マルチキャリア動作中、異なるＵＥ３１５に関連するダウンリンク制御情報（ＤＣＩ：downlink control information）メッセージは、複数のコンポーネントキャリア上で搬送され得る。たとえば、ＰＤＣＣＨ上のＤＣＩは、物理ダウンリンク共有チャネル（ＰＤＳＣＨ）送信のためにＵＥ３１５によって使用されるように構成された同じコンポーネントキャリア上に含まれ得る（たとえば、同一キャリアシグナリング）。代替または追加として、ＤＣＩは、ＰＤＳＣＨ送信のために使用されるターゲットコンポーネントキャリアとは異なるコンポーネントキャリア上で搬送され得る（すなわち、クロスキャリアシグナリング）。いくつかの実装形態では、半静的に有効化され得るキャリアインジケータフィールド（ＣＩＦ：carrier indicator field）は、ＰＤＳＣＨ送信のためにターゲットキャリア以外のキャリアからのＰＤＣＣＨ制御シグナリングの送信を可能にするために、一部または全部のＤＣＩフォーマット中に含まれ得る（クロスキャリアシグナリング）。
【００４５】
[0056]本例では、ＵＥ３１５は１つのｅノードＢ３０５−ａからデータを受信し得る。しかしながら、セルエッジ上のユーザは、データレートを制限し得る高いセル間干渉を経験することがある。上記で説明したように、マルチフローが、ＵＥが同時に２つのｅノードＢ３０５−ａからデータを受信することを可能にする。いくつかの態様では、２つのｅノードＢ３０５−ａは、コロケートされないことがあり、複数接続性キャリアアグリゲーションをサポートするように構成され得る。マルチフローは、ＵＥが同時に２つの隣接するセル中の２つのセルタワーの範囲内にあるとき（たとえば、以下で説明する図５を参照）、２つのまったく別個のストリーム中で２つのｅノードＢ３０５−ａからのデータを送信および受信することによって動作する。ＵＥは、デバイスがいずれかのｅノードＢの届く範囲のエッジにあるとき、同時に２つのｅノードＢ３０５−ａと通信し得る。２つの異なるｅノードＢからのモバイルデバイスへの２つの独立データストリームを同時にスケジュールすることによって、マルチフローは、ＨＳＰＡネットワークにおける不均一なローディングを活用する。これは、ネットワーク容量を増加させながら、セルエッジユーザエクスペリエンスを改善するのに役立つ。一例では、セルエッジにおけるユーザのためのスループットデータ速度が２倍になり得る。いくつかの態様では、マルチフローはまた、ＵＥがＷＷＡＮタワー（たとえば、セルラータワー）とＷＬＡＮタワー（たとえば、ＡＰ）とが届く範囲内にあるとき、両方のタワーに同時に通話するＵＥの能力を指すことがある。そのような場合、タワーは、タワーがコロケートされないとき、複数の接続を通じてキャリアアグリゲーションをサポートするように構成され得る。マルチフローは、デュアルキャリアＨＳＰＡと同様であるＬＴＥ／ＬＴＥ−Ａの特徴であるが、相違がある。たとえば、デュアルキャリアＨＳＰＡは、デバイスに同時に接続するための複数のタワーへの接続性を可能にしない。
【００４６】
[0057]ＬＴＥ−Ａ規格化、ＬＴＥコンポーネントキャリア３３０は後方互換性があり、それが新しいリリースへの円滑な移行を可能にした。しかしながら、この特徴により、ＬＴＥコンポーネントキャリア３３０は、帯域幅にわたってあらゆるサブフレーム中で共通基準信号（ＣＲＳ、セル固有基準信号とも呼ばれる）を連続的に送信した。限られた制御シグナリングのみが送信されているときでもセルがオンのままであり、それにより、電力増幅器がエネルギーを消費し続けるので、大部分のセルサイトエネルギー消費はその増幅器によって生じる。ＣＲＳは、ＬＴＥのリリース８に導入されており、ＬＴＥの最も基本的なダウンリンク基準信号である。ＣＲＳは、周波数領域中のあらゆるリソースブロック中で、およびあらゆるダウンリンクサブフレーム中で送信される。セル中のＣＲＳが、１つ、２、または４つの対応するアンテナポートのためのものであることがある。コヒーレント復調のためのチャネルを推定するためにリモート端末によってＣＲＳが使用され得る。ニューキャリアタイプ（ＮＣＴ：New Carrier Type）は、５つのサブフレームのうち４つにおいてＣＲＳの送信を削除することによって、セルのスイッチングオフを一時的に可能にする。この特徴は、ＣＲＳが、もはや帯域幅にわたってあらゆるサブフレーム中で連続的に送信されるとは限らないので、電力増幅器よって消費される電力、ならびにオーバーヘッドとＣＲＳからの干渉とを低減する。さらに、ニューキャリアタイプは、ＵＥ固有復調基準シンボルを使用してダウンリンク制御チャネルを動作させることを可能にする。ニューキャリアタイプは、別のＬＴＥ／ＬＴＥ−Ａキャリアとともに拡張キャリアの一種として、または代替的にスタンドアロン非後方互換性キャリアとして動作させられ得る。
【００４７】
[0058]図４は、本開示の一態様による、ＵＥ４１５とＰＤＮ４４０（たとえば、インターネット）との間のデータ経路４４５および４５０の一例を概念的に示すブロック図である。データ経路４４５、４５０は、異なる無線アクセス技術からのデータをアグリゲートするためのワイヤレス通信システム４００のコンテキスト内で示されている。図３のシステム３００は、ワイヤレス通信システム４００の部分の一例であり得る。ワイヤレス通信システム４００は、マルチモードＵＥ４１５と、ｅノードＢ４０５−ａと、ＷＬＡＮ  ＡＰ４０５−ｂと、発展型パケットコア（ＥＰＣ）４８０と、ＰＤＮ４４０と、ピアエンティティ４５５とを含み得る。マルチモードＵＥ４１５は、複数接続性（たとえば、デュアル接続性）キャリアアグリゲーションをサポートするように構成され得る。ＥＰＣ４８０は、モビリティ管理エンティティ（ＭＭＥ：mobility management entity）４３０と、サービングゲートウェイ（ＳＧＷ）４３２と、ＰＤＮゲートウェイ（ＰＧＷ）４３４とを含み得る。ホーム加入者システム（ＨＳＳ：home subscriber system）４３５は、ＭＭＥ４３０に通信可能に結合され得る。ＵＥ４１５は、ＬＴＥ無線機４２０とＷＬＡＮ無線機４２５とを含み得る。いくつかの実装形態では、ＵＥ４１５は、Ｗｉ−Ｆｉ無線機がその一例であり得るＷＬＡＮ無線機４２５とともに、ＬＴＥ無線機４２０がその一例であるＷＷＡＮ無線機を含み得る。キャリアアグリゲーションを用いたデュアル接続性は、ＷＷＡＮ無線機、ＷＬＡＮ無線機４２５、またはその両方とともに実装され得る。これらの要素は、前または後の図を参照しながら上記で説明したそれらのカウンターパートのうちの１つ以上の態様を表し得る。たとえば、ＵＥ４１５は図１、図２、図３、図５、図６、図７、および／または図８中のＵＥの一例であり得、ｅノードＢ４０５−ａは図１、図２、図３、図５、図６、図７、および／または図８のｅノードＢ／基地局の一例であり得、ＡＰ４０５−ｂは図３のＡＰ３０５−ｂの一例であり得、ならびに／あるいはＥＰＣ４８０は図１および／または図８のコアネットワークの少なくとも部分の一例であり得る。図４中のｅノードＢ４０５−ａおよびＡＰ４０５−ｂは、互いとコロケートされないことがあるか、またはさもなければ高速通信していないことがある。一方、キャリアアグリゲーションのために単一のｅノードＢ４０５−ａが示されているが、ＵＥ４１５が複数接続性で動作しているとき、キャリアアグリゲーションを用いた複数接続性は複数のｅノードＢ４０５−ａ内で実装され得ることを理解されたい。たとえば、第１のｅノードＢ４０５−ａがＭｅＮＢとして動作し、第２のｅノードＢ４０５−ａがＳｅＮＢとして動作するとき、ＵＥ４１５に関して、デュアル接続性キャリアアグリゲーションが実行され得る。アグリゲーションは、同じｅノードＢのセルから行われるか、あるいは互いとコロケートされるかまたは高速通信しているｅノードＢのセルから行われ得る。
【００４８】
[0059]再び図４を参照すると、ｅノードＢ４０５−ａおよびＡＰ４０５−ｂは、１つ以上のＬＴＥコンポーネントキャリアおよび／あるいは１つ以上のＷＬＡＮコンポーネントキャリアのアグリゲーションを使用して、ＵＥ４１５にＰＤＮ４４０へのアクセスを与えることが可能であり得る。したがって、ＵＥ４１５は、デュアル接続性でのキャリアアグリゲーションを伴い得、ただし、一方の接続は１つのネットワークエンティティ（ｅノードＢ４０５−ａ）に対してであり、他方の接続は異なるネットワークエンティティ（ＡＰ４０５−ｂ）に対してである。ＰＤＮ４４０へのこのアクセスを使用して、ＵＥ４１５はピアエンティティ４５５と通信し得る。ｅノードＢ４０５−ａは、（たとえば、データ経路４４５を通じて）発展型パケットコア４８０を通じてＰＤＮ４４０へのアクセスを与え得、ＷＬＡＮ  ＡＰ４０５−ｂは、（たとえば、データ経路４５０を通じて）ＰＤＮ４４０への直接アクセスを与え得る。
【００４９】
[0060]ＭＭＥ４３０は、ＵＥ４１５とＥＰＣ４８０との間のシグナリングを処理する制御ノードであり得る。概して、ＭＭＥ４３０はベアラおよび接続管理を行い得る。ＭＭＥ４３０は、したがって、ＵＥ４１５のためにアイドルモードＵＥトラッキングおよびページングと、ベアラアクティブ化および非アクティブ化と、ＳＧＷ選択とを担当し得る。ＭＭＥ４３０は、Ｓ１−ＭＭＥインターフェースを介してｅノードＢ４０５−ａと通信し得る。ＭＭＥ４３０は、ＵＥ４１５をさらに認証し、ＵＥ４１５との非アクセス層（ＮＡＳ：Non-Access Stratum）シグナリングを実装し得る。
【００５０】
[0061]ＨＳＳ４３５は、機能の中でも、加入者データを記憶し、ローミング制限を管理し、加入者のためのアクセス可能アクセスポイント名（ＡＰＮ：access point name）を管理し、加入者をＭＭＥ４３０に関連付け得る。ＨＳＳ４３５は、３ＧＰＰ団体によって規格化された発展型パケットシステム（ＥＰＳ）アーキテクチャによって定義されたＳ６ａインターフェースを介してＭＭＥ４３０と通信し得る。
【００５１】
[0062]ＬＴＥ上で送信されるすべてのユーザＩＰパケットは、ｅノードＢ４０５−ａを通じてＳＧＷ４３２に転送され得、ＳＧＷ４３２は、Ｓ５シグナリングインターフェースを介してＰＤＮゲートウェイ４３４に接続され、Ｓ１１シグナリングインターフェースを介してＭＭＥ４３０に接続され得る。ＳＧＷ４３２は、ユーザプレーンに常駐し、ｅノードＢ間ハンドオーバおよび異なるアクセス技術間のハンドオーバのためのモビリティアンカーとして働き得る。ＰＤＮゲートウェイ４３５はＵＥのＩＰアドレス割り当てならびに他の機能を与え得る。
【００５２】
[0063]ＰＤＮゲートウェイ（ＰＧＷ）４３４は、ＳＧｉシグナリングインターフェースを介して、ＰＤＮ４４０など、１つ以上の外部パケットデータネットワークへの接続性を与え得る。ＰＤＮ４４０は、インターネット、イントラネット、ＩＰマルチメディアサブシステム（ＩＭＳ：IP Multimedia Subsystem）、パケット交換（ＰＳ：Packet-Switched）ストリーミングサービス（ＰＳＳ：PS Streaming Service）、および／または他のタイプのＰＤＮを含み得る。
【００５３】
[0064]本例では、ＵＥ４１５とＥＰＣ４８０との間のユーザプレーンデータは、トラフィックがＬＴＥリンクの経路４４５を介して流れるのか、ＷＬＡＮリンクの経路４５０を介して流れるのかにかかわらず、１つ以上のＥＰＳベアラの同じセットを横断し得る。１つ以上のＥＰＳベアラのセットに関係するシグナリングまたは制御プレーンデータは、ｅノードＢ４０５−ａを経由して、ＵＥ４１５のＬＴＥ無線機４２０とＥＰＣ４８０のＭＭＥ４３０との間で送信され得る。
【００５４】
[0065]ＬＴＥに関して図４の態様について説明したが、アグリゲーションおよび／または複数の接続に関する同様の態様はまた、ＵＭＴＳあるいは他の同様のシステムまたはネットワークワイヤレス通信無線技術に関して実装され得る。その上、ｅノードＢおよびＷＬＡＮ  ＡＰに関して図３および図４においてキャリアアグリゲーションの態様について説明したが、上記で説明したように、複数接続性キャリアアグリゲーションシナリオにおいて２つまたはそれ以上のｅノードＢが使用されるとき、あるいは複数接続性キャリアアグリゲーションシナリオにおいて同じｅノードＢからの２つまたはそれ以上のセルが使用されるとき、同様の手法が使用され得る。アグリゲーションは、同じｅノードＢのセルから行われるか、あるいは互いとコロケートされるかまたは高速通信しているｅノードＢのセルから行われ得る。
【００５５】
[0066]図５は、本開示の一態様による、複数接続性キャリアアグリゲーションを概念的に示す図である。ワイヤレス通信システム５００は、ＵＥ５１５をサービスするように構成され得る、マスタセルグループまたはＭＣＧと呼ばれるセルのセットまたはグループを有するマスタｅノードＢ５０５−ａ（ＭｅノードＢまたはＭｅＮＢ）を含み得る。ＭＣＧは、１つの１次セル（Ｐセル）５１０−ａと１つ以上の２次セル５１０−ｂ（説明のために１つのみが図５に示されている）とを含み得る。ワイヤレス通信システム５００はまた、ＵＥ５１５をサービスするように構成され得る、２次セルグループまたはＳＣＧと呼ばれるセルのセットまたはグループを有する２次ｅノードＢ５０５−ｂ（ＳｅノードＢまたはＳｅＮＢ）を含み得る。ＳＣＧは、１つの１次セル（ＰセルＳＣＧ）５１２−ａと１つ以上の２次セル５１２−ｂ（説明のために１つのみが図５に示されている）とを含み得る。また、複数接続性（たとえば、デュアル接続性）シナリオの場合のキャリアアグリゲーションをサポートするＵＥ５１５が示されている。ＵＥ５１５は通信リンク５２５−ａを介してＭｅノードＢ５０５−ａと通信し、通信リンク５２５−ｂを介してＳｅノードＢ５０５−ｂと通信し得る。
【００５６】
[0067]一実装形態では、ＵＥ５１５は、同じｅノードＢからのコンポーネントキャリアをアグリゲートし得るか、またはコロケートされたｅノードＢからのコンポーネントキャリアをアグリゲートし得る。そのような例では、使用されている様々なセル（たとえば、異なるコンポーネントキャリア（ＣＣ））は、それらが、同じｅノードＢか、または制御情報を迅速に通信することができるｅノードＢのいずれかによって扱われるので、容易に協調させられ得る。図５の例のように、ＵＥ５１５が、コロケートされない２つのｅノードＢと通信しているときにキャリアアグリゲーションを実行するとき、キャリアアグリゲーション動作は、様々なネットワーク状態により異なり得る。この場合、２次ｅノードＢ５０５−ｂ中の１次セル（ＰセルＳＣＧ）を確立することは、２次ｅノードＢ５０５−ｂが１次ｅノードＢ５０５−ａとコロケートされなくても、ＵＥ５１５において行われるべき適切な構成および制御を可能にし得る。
【００５７】
[0068]図５の例では、キャリアアグリゲーションは、ＭｅノードＢ５０５−ａのＰセルによるいくつかの機能を伴い得る。たとえば、Ｐセルは、いくつかの例を挙げれば、物理アップリンク制御チャネル（ＰＵＣＣＨ）、競合ベースランダムアクセス制御チャネル（ＲＡＣＨ）、および半永続的スケジューリングなどのいくつかの機能を扱い得る。コロケートされないｅノードＢへのデュアル接続性または複数接続性を用いたキャリアアグリゲーションは、キャリアアグリゲーションが場合によっては実行される様式に対していくつかの拡張および／または変更を行わなければならないことを伴い得る。拡張および／または変更のうちのいくつかは、上記で説明したように、ＵＥ５１５がＭｅノードＢ５０５−ａとＳｅノードＢ５０５−ｂとに接続されることを伴い得る。他の特徴は、たとえば、タイミングアドバンスグループ（ＴＡＧ）にｅノードＢのうちの１つのセルを備えさせること、ＳｅノードＢ５０５−ｂ上で可能にされる競合ベースおよび競合なしランダムアクセス（ＲＡ）と、ＭｅノードＢ５０５−ａのためのおよびＳｅノードＢ５０５−ｂに対する別個の間欠受信（ＤＲＸ）プロシージャとを有すること、ＵＥ５１５に、バッファステータス報告（ＢＳＲ）をベアラがサービスされるｅノードＢに対して送らせること、ならびに２次ｅノードＢ５０５−ｂ中のＰセルＳＣＧに関して電力ヘッドルーム報告（ＰＨＲ）、電力制御、半永続的スケジューリング（ＳＰＳ）、および論理チャネル優先度付けのうちの１つまたは複数を可能にすることを含み得る。上記で説明した拡張および／または変更、ならびに本開示で与えられる他のものは、説明のためのものであり、限定するものではない。
【００５８】
[0069]図５の例のようにデュアル接続性でのキャリアアグリゲーションの場合、異なる機能がＭｅノードＢ５０５−ａとＳｅノードＢ５０５−ｂとの間で分割され得る。たとえば、異なる機能は、ＭｅノードＢ５０５−ａとＳｅノードＢ５０５−ｂとの間で静的に分割されるか、１つ以上のネットワークパラメータに基づいてＭｅノードＢ５０５−ａとＳｅノードＢ５０５−ｂとの間で動的に分割され得る。一例では、ＭｅノードＢ５０５−ａは、Ｐセルを介して、限定はしないが、初期構成、セキュリティ、システム情報、および／または無線リンク障害（ＲＬＦ）に関係する機能などの上位レイヤ（たとえば、メディアアクセス制御（ＭＡＣ）レイヤの上のレイヤ）機能を実行し得る。図５の例において説明するように、Ｐセルは、ＭＣＧに属するＭｅノードＢ５０５−ａのセルのうちの１つとして構成され得る。Ｐセルは、ＭＣＧ内の下位レイヤ機能（たとえば、ＭＡＣ／ＰＨＹレイヤ）を与えるように構成され得る。
【００５９】
[0070]一例では、ＳｅノードＢ５０５−ｂは、ＳＣＧのための下位レイヤ（たとえば、ＰＨＹ／ＭＡＣレイヤ）機能の構成情報を与え得る。たとえば、構成情報は、１つ以上の無線リソース制御（ＲＲＣ）メッセージとしてＰセルＳＣＧによって与えられ得る。ＰセルＳＣＧは、アップリンクキャリアとダウンリンクキャリアの両方を含み得、Ｐセルと同様の下位レイヤ機能をＳＣＧに与え得る。ＰセルＳＣＧは、ＳＣＧ中のセルのうちの最低セルインデックス（たとえば、識別子またはＩＤ）を有するように構成され得る。たとえば、ＰセルＳＣＧを介してＳｅノードＢ５０５−ｂによって実行される機能のうちのいくつかは、ＰＵＣＣＨを搬送すること、ＰセルＳＣＧのＤＲＸ構成に従うようにＳＣＧ中のセルを構成すること、ＳｅノードＢ５０５−ｂ上の競合ベースおよび競合なしランダムアクセスのためのリソースを構成する、ＰＵＣＣＨのための送信電力制御（ＴＰＣ：transmit power control）コマンドを有するダウンリンク（ＤＬ）許可を搬送すること、ＳＣＧ中の他のセルのためのＰセルＳＣＧに基づいて経路損失を推定すること、ＳＣＧに共通探索空間を与えること、およびＵＥ５１５にＳＰＳ構成情報を与えることを含み得る。
【００６０】
[0071]いくつかの態様では、Ｐセルは、たとえば、セキュリティ、ネットワークへの接続、初期接続、および／または無線リンク障害などの上位レベル機能をＵＥ５１５に与えるように構成され得る。Ｐセルは、ＭＣＧ中のセルに関する物理アップリンク制御チャネル（ＰＵＣＣＨ）を搬送すること、ＭＣＧのうちの最低セルインデックスを含めること、ＭＣＧセルが同じ間欠受信（ＤＲＸ）構成を有することを可能にすること、ＭｅノードＢ５０５−ａ上で競合ベースランダムアクセスと競合なしランダムアクセスの一方または両方のためのランダムアクセスリソースを構成すること、ダウンリンク許可がＰＵＣＣＨのための送信電力制御（ＴＰＣ）コマンドを搬送することを可能にすること、ＭＣＧ中のセルに関する経路損失推定を可能にすること、ＭｅノードＢ５０５−ａのための共通探索空間を構成すること、および／または半永続的スケジューリングを構成することを行うように構成され得る。
【００６１】
[0072]いくつかの態様では、ＰセルＳＣＧは、ＳＣＧ中のセルに関するＰＵＣＣＨを搬送すること、ＳＣＧのうちの最低セルインデックスを含めること、ＳＣＧセルが同じＤＲＸ構成を有することを可能にすること、ＳｅノードＢ５０５−ｂ上で競合ベースランダムアクセスと競合なしランダムアクセスの一方または両方のためのランダムアクセスリソースを構成すること、ダウンリンク許可がＰＵＣＣＨに関するＴＰＣコマンドを搬送することを可能にすること、ＳＣＧ中のセルに関する経路損失推定を可能にすること、ＳｅノードＢ５０５−ｂのための共通探索空間を構成すること、および／または半永続的スケジューリングを構成することを行うように構成され得る。
【００６２】
[0073]図５の例に戻ると、ＵＥ５１５は、ＭｅノードＢ５０５−ａとＳｅノードＢ５０５−ｂとのための並列ＰＵＣＣＨおよび物理アップリンク共有チャネル（ＰＵＳＣＨ）構成をサポートし得る。場合によっては、ＵＥ５１５は、両方のｅノードＢからのキャリアグループに適用可能であり得る構成（たとえば、ＵＥベース）を使用し得る。たとえば、これらのＰＵＣＣＨ／ＰＵＳＣＨ構成は、ＲＲＣメッセージを通じて与えられ得る。
【００６３】
[0074]ＵＥ５１５はまた、肯定応答（ＡＣＫ）／否定応答（ＮＡＣＫ）とチャネル品質インジケータ（ＣＱＩ）との同時送信と、ＭｅノードＢ５０５−ａおよびＳｅノードＢ５０５−ｂのためのＡＣＫ／ＮＡＣＫ／ＳＲＳとのための並列構成をサポートし得る。場合によっては、ＵＥ５１５は、両方のｅノードＢからのキャリアグループに適用可能であり得る構成（たとえば、ＵＥベース、および／あるいはＭＣＧまたはＳＣＧベース）を使用し得る。たとえば、これらの構成は、ＲＲＣメッセージを通じて与えられ得る。
【００６４】
[0075]通信システム５００の別の態様では、クロスキャリア制御は、１つのセルが別のセルのための制御を搬送し得るように構成され得る。１つの考えられる例外は、ＳセルがＰセルをクロスキャリア制御しないことがあることであり得る。デュアル接続性の場合、たとえば、クロスキャリア制御は、同じキャリアグループに属するセル内で構成され得る。そのようなシナリオでは、ＳセルがＰセルとＰセルＳＣＧとをクロスキャリア制御することが可能でないことがある例外は保持され得る。
【００６５】
[0076]図６は、本開示の一態様による、構成されたコンポーネントを有するＵＥ６１５の一例を概念的に示すブロック図６００である。一態様では、本明細書で使用する「コンポーネント」という用語は、システムを構成する部分のうちの１つであり得、ハードウェアまたはソフトウェアであり得、他のコンポーネントに分割され得る。図６００の基地局／ｅノードＢ６０５−ａ（ＰセルをもつＭｅノードＢ）、局／ｅノードＢ６０５−ｂ（ＰセルＳＣＧをもつＳｅノードＢ）、およびＵＥ６１５は、様々な図に記載されている基地局／ｅノードＢ（またはＡＰ）およびＵＥのうちの１つであり得る。ＭｅノードＢ６０５−ａおよびＵＥ６１５は通信リンク６２５−ａ上で通信し得る。ＳｅノードＢ６０５−ｂおよびＵＥ６１５は通信リンク６２５−ｂ上で通信し得る。通信リンク６２５−ａ、６２５−ｂの各々は、図１の通信リンク１２５の一例であり得る。
【００６６】
[0077]ＵＥ６１５は、複数接続性キャリアアグリゲーション（ＣＡ）マネージャコンポーネント６４０と、情報コンバージェンスエンティティコンポーネント６７０と、送信機／受信機コンポーネント６８０とを含み得る。複数接続性ＣＡマネージャコンポーネント６４０は、ＰセルＳＣＧを通じてＳｅノードＢ６０５−ｂと通信するために構成情報を受信することと、Ｐセルを通じてＭｅノードＢ６０５−ａと通信するために構成情報を受信することとを行うように構成され得、ただし、ＳｅノードＢ６０５−ｂはＭｅノードＢ６０５−ａとコロケートされない。ある態様では、構成情報は、送信機／受信機コンポーネント６８０を介して受信され得る。
【００６７】
[0078]情報コンバージェンスエンティティコンポーネント６７０は、ＵＥ６１５がＳｅノードＢ６０５−ｂおよびＭｅノードＢ６０５−ａと同時通信しているとき、ＳｅノードＢ６０５−ｂとＭｅノードＢ６０５−ａとから受信された情報（たとえば、構成情報、制御情報、および／または負荷データ）をアグリゲートするように構成され得る。情報コンバージェンスエンティティコンポーネント６７０は、パケットデータコンバージェンスプロトコル（ＰＤＣＰ：packet data convergence protocol）エンティティと、インターネットプロトコル（ＩＰ：internet protocol）エンティティと、ＲＲＣエンティティとのうちの１つであり得る。
【００６８】
[0079]複数接続性ＣＡマネージャコンポーネント６４０は、Ｐセル構成コンポーネント６５０と、ＰセルＳＣＧ構成コンポーネント６５２と、ＣＡ制御コンポーネント６５４と、ＤＲＸ協調コンポーネント６５６と、電力制御コンポーネント６５８と、経路損失推定コンポーネント６６０と、ＳＲＳコンポーネント６６２と、電力ヘッドルーム報告コンポーネント６６４と、論理チャネル優先度付けコンポーネント６６８とを含み得る。
【００６９】
[0080]Ｐセル構成コンポーネント６５０は、ＭｅノードＢ６０５−ａのＰセルによって与えられる構成情報を受信および／または処理するための本明細書で説明する様々な態様を扱うように構成され得る。
【００７０】
[0081]ＰセルＳＣＧ構成コンポーネント６５２は、ＳｅノードＢ６０５−ｂのＰセルＳＣＧによって与えられる構成情報を受信および／または処理するための本明細書で説明する様々な態様を扱うように構成され得る。
【００７１】
[0082]ＣＡ制御コンポーネント６５４は、複数接続性キャリアアグリゲーションにおいてＰＵＣＣＨまたはＰＵＳＣＨ上でアップリンク制御情報（ＵＣＩ）の送信をクロスキャリア制御する、および制御するための本明細書で説明する様々な態様を扱うように構成され得る。
【００７２】
[0083]ＤＲＸ協調コンポーネント６５６は、複数接続性キャリアアグリゲーションにおいてＭｅノードＢ６０５−ａおよびＳｅノードＢ６０５−ｂとともにＤＲＸプロシージャを協調させるための本明細書で説明する様々な態様を扱うように構成され得る。
【００７３】
[0084]電力制御コンポーネント６５８は、複数接続性キャリアアグリゲーションにおいて送信電力制御（ＴＣＰ）コマンドを処理および／または使用するための本明細書で説明する様々な態様を扱うように構成され得る。
【００７４】
[0085]経路損失推定コンポーネント６６０は、特定のセルのダウンリンクコンポーネントキャリアまたは１次コンポーネントキャリアに少なくとも部分的に基づいて、ＭｅノードＢ６０５−ａおよびＳｅノードＢ６０５−ｂのいずれかにおけるセルの経路損失を推定または決定するための本明細書で説明する様々な態様を扱うように構成され得る。
【００７５】
[0086]ＳＲＳコンポーネント６６２は、複数接続性キャリアアグリゲーションにおいて各サービングセルのサウンディング基準信号を処理および／または構成するための本明細書で説明する様々な態様を扱うように構成され得る。
【００７６】
[0087]電力ヘッドルーム報告コンポーネント６６４は、複数接続性キャリアアグリゲーションにおいて電力ヘッドルーム報告を実装するための本明細書で説明する様々な態様を扱うように構成され得る。
【００７７】
[0088]論理チャネル優先度付けコンポーネント６６８は、複数接続性キャリアアグリゲーションにおいて論理チャネル（ＬＣ）優先度付けを処理および／または構成するための本明細書で説明する様々な態様を扱うように構成され得る。
【００７８】
[0089]ＣＡ制御コンポーネント６５４に関して、ＵＥ６１５は、異なるキャリア周波数を使用して異なるノード（たとえば、ＭｅノードＢ６０５−ａおよびＳｅノードＢ６０５−ｂ）に接続され得る。各ノード（たとえば、ＭｅノードＢ６０５−ａまたはＳｅノードＢ６０５−ｂ）は、ＵＥ６１５をサービスするためのセルのグループ（たとえば、ＭＣＧおよびＳＣＧ）を構成し得る。各グループ内のセル（たとえば、コンポーネントキャリア）は、グループ内の他のセルをクロス制御するように構成され得る。一例では、グループの２次セルはグループの１次セルをクロス制御しないことがある。ＣＡ制御コンポーネント６５４は、ＭｅノードＢ５０５−ａとＳｅノードＢ５０５−ｂとからそれぞれ、ＭＣＧとＳＣＧとのためのクロスキャリア制御情報を受信し得る。ＵＥ６１５のためのＰＵＣＣＨは、ＭｅノードＢ６０５−ａとＳｅノードＢ６０５−ｂとの各々のためのアップリンクコンポーネントキャリア上に構成され得る。ＭｅノードＢ６０５−ａに関連するＭＣＧとＳｅノードＢ６０５−ｂに関連するＳＣＧの両方のためのコンポーネントキャリアのうちの１つの上のＰＵＣＣＨは、セルのそれぞれのグループに関連するすべてのコンポーネントキャリアのためのＵＣＩを搬送し得る。この場合、ＲＲＣ構成メッセージは、ＭＣＧからのどのコンポーネントキャリアがＰＵＣＣＨを搬送するかと、ＳＣＧからのどのコンポーネントキャリアがＰＵＣＣＨを搬送するかとを指示または指定するために使用され得る。たとえば、ＭｅノードＢ５０５−ａのためのＰＵＣＣＨはＭＣＧのＰセル（たとえば、Ｐセルコンポーネントキャリア）上で搬送され得、ＳｅノードＢ５０５−ｂのためのＰＵＣＣＨはＳＣＧのＰセルＳＣＧ（たとえば、ＰセルＳＣＧコンポーネントキャリア）上で搬送され得る。
【００７９】
[0090]ＣＡ制御コンポーネント６５４に関して、ＵＣＩがＰＵＳＣＨ上で送信されるとき、（セルのそれの対応するグループ内で）最小セルインデックスをもつＭＣＧとＳＣＧとのコンポーネントキャリアは、セルの対応するグループのためのＵＣＩを搬送するＰＵＳＣＨを送信するために使用され得る。
【００８０】
[0091]ＣＡ制御コンポーネント６５４に関して、ＭＣＧおよびＳＣＧの各々についてのＡＣＫ／ＮＡＣＫフィードバックのためのＰＵＣＣＨフォーマットは、セルの各グループ中のコンポーネントキャリアの数に少なくとも部分的に基づいて決定され得る。たとえば、セルのグループが２つのコンポーネントキャリアを有するとき、チャネル選択を用いるＰＵＣＣＨフォーマット１ｂが使用され得る。別の例では、セルのグループが２つまたはそれ以上のコンポーネントキャリア（または非ＣＡ時分割複信（ＴＤＤ））を有するとき、ＰＵＣＣＨフォーマット３が使用され得る。
【００８１】
[0092]ＤＲＸ協調コンポーネント６５６に関して、ＭｅノードＢ６０５−ａとＳｅノードＢ６０５−ｂとのために別個のＤＲＸ構成および／またはプロシージャが使用され得る。たとえば、キャリアアグリゲーションの場合のように、各グループ（ＭＣＧおよびＳＣＧ）内でアグリゲートされるセル（またはコンポーネントキャリア）は、同じＤＲＸ構成に従い得る。場合によっては、同じＤＲＸ動作は、すべてのサービングセルに適用され得る。ＤＲＸ協調コンポーネント６５６はまた、デュアル（または複数）接続性のためのＤＲＸを協調させ得る。たとえば、いくつかのアグリゲーション（たとえば、パケットアグリゲーション）方式では、ＤＲＸ協調コンポーネント６５６は、ＭｅノードＢ６２５−ａとＳｅノードＢ６０５−ｂとの間でＤＲＸが協調されるべきときに使用され得る。場合によっては、（ＭｅノードＢ６０５−ａのＰセルのために構成されるのと）同じＤＲＸ構成は、アグリゲーションが構成されるとき、すべてのセルに対して適用され得る。場合によっては、ＳｅノードＢ  ＤＲＸ構成（たとえば、ＳｅノードＢのためのＤＲＸ構成）は、ＭｅノードＢ  ＤＲＸ構成（たとえば、ＭｅノードＢのためのＤＲＸ構成）のスーパーセットであり得る。たとえば、ＳｅノードＢ  ＤＲＸ構成は、ＤＲＸのために使用されるサブフレームに対するスーパーセットであり得る。別の例では、ＳｅノードＢ  ＤＲＸ構成は、ＰセルＳＣＧの概念がＳｅノードＢ６０５−ｂとともに使用されるとき、ＰセルＳＣＧのために構成されたスーパーセットであり得る。
【００８２】
[0093]電力制御コンポーネント６５８に関して、キャリアアグリゲーションでは、電力制御は、各キャリア成分のためのＰＵＣＣＨおよびＰＵＳＣＨについて別々に実装され得る。たとえば、キャリアアグリゲーションにおけるＴＰＣコマンドは、ＰＵＣＣＨ電力制御についてＰセルのダウンリンク許可ダウンリンク制御情報（ＤＣＩ）上で与えられ得、ＴＰＣコマンドは、ＰＵＳＣＨ電力制御について対応するセルのアップリンク許可ＤＣＩ中で与えられ得る。
【００８３】
[0094]複数接続性の場合、ＰセルＳＣＧは、アップリンク上に構成されたＰＵＣＣＨを有するので、ＰセルＳＣＧのダウンリンク許可はＴＰＣコマンドを搬送し得る。そのような事例では、上位レイヤによって構成されたいくつかの（たとえば、４つの）考えられる値のうちの１つを示すために、ＰＵＣＣＨフォーマット３リソース割り当てが使用され得る。ＰセルＳＣＧがＳＣＧ中の唯一のセルであるとき、ＰＵＣＣＨフォーマット３リソース割り当ては搬送されないことがあり、したがって、そのような状況では、ＰＵＣＣＨフォーマット３は利用可能でないことがある。これは、ＰＵＣＣＨフォーマット３が、概して、キャリアアグリゲーションと、より大きいＡＣＫ／ＮＡＣＫ（Ａ／Ｎ）ペイロードとを対象とするので、よいことがある。
【００８４】
[0095]電力制御コンポーネント６５８は、ＵＥ６１５が電力制限されたとき、電力スケーリングおよび優先度付けをサポートし得る。そのようなシナリオでは、キャリアアグリゲーション原理が利用され得る。たとえば、ＰＵＣＣＨが、他のチャネルに勝る優先度を付けられ得る。電力制御コンポーネント６５８は、ＰセルＳＣＧ上のＰＵＣＣＨよりも高い優先度をＰセル上のＰＵＣＣＨに与えるべきなのか、またはＰＵＣＣＨにわたって一様にスケーリングすべきなのかを決定し得る。別の例では、ＵＣＩを搬送するＰＵＳＣＨが優先度を付けられ得る。電力制御コンポーネント６５８は、ＰセルＳＣＧ上のＵＣＩをもつＰＵＳＣＨよりも高い優先度をＰセル上のＵＣＩをもつＰＵＳＣＨに与えるべきなのか、またはＵＣＩをもつＰＵＳＣＨにわたって一様にスケーリングすべきなのかを決定し得る。また別の例では、優先度付けは、ＭＳＧおよびＳＣＧ中のコンポーネントキャリア上のＰＵＳＣＨの間で行われ得る。電力制御コンポーネント６５８は、たとえば、ＭＳＧ  ＰＵＳＣＨにより高い優先度を与えること、またはすべてのＰＵＳＣＨにわたって一様にスケーリングすることによって、ＭＳＧおよびＳＣＧ中のコンポーネントキャリア上のＰＵＳＣＨの間で優先度を付け得る。
【００８５】
[0096]経路損失推定コンポーネント６６０に関して、キャリアアグリゲーションでは、セルの経路損失推定は、所与のセルの対応するダウンリンクコンポーネントキャリア、または１次セル（たとえば、ＰセルまたはＰセルＳＣＧ）のいずれかに基づいて実行され得る。その選定は、どのＴＡＧがサービングセルに関連するかに基づき得る。同じまたは同様の機構がデュアル接続性のために使用され得る。たとえば、経路損失推定は、ＳＣＧ中のセルのためのＰセルＳＣＧに基づき得る。
【００８６】
[0097]ＳＲＳコンポーネント６６２に関して、キャリアアグリゲーションにおけるＳＲＳは、各サービングセルのために構成され得る。たとえば、ＵＥ６１５は、各サービングセル上のトリガタイプ０（周期）およびトリガタイプ１（非周期）のためのＳＲＳパラメータで構成され得る。ＳＲＳパラメータはサービングセル固有であり、上位レイヤによって半静的に構成可能であり得る。これらのキャリアアグリゲーション原理はまた、デュアル接続性のために使用され得る。
【００８７】
[0098]電力ヘッドルーム報告コンポーネント６６４に関して、電力ヘッドルームの２つのタイプ、すなわち、電力ヘッドルーム（ＰＨ）＝Ｐｃｍａｘ，ｃ−ＰＵＳＣＨ＿ｔｘ＿ｐｗｒである、タイプ１と、ＰＨ＝Ｐｃｍａｘ，ｃ−ＰＵＣＣＨ＿ｔｘ＿ｐｗｒ−ＰＵＳＣＨ＿ｔｘ＿ｐｗｒである、タイプ２とがサポートされ得、ただし、Ｐｃｍａｘ，ｃは、公称ＵＥ最大送信電力であり、ＰＵＳＣＨ＿ｔｘ＿ｐｗｒは、推定されたＰＵＳＣＨ送信電力であり、ＰＵＣＣＨ＿ｔｘ＿ｐｗｒは、推定されたＰＵＣＣＨ送信電力である。タイプ１はＰセルとＳセルの両方に適用され得る。タイプ２は、Ｐセル、およびＰＵＣＣＨとＰＵＳＣＨとの同時送信に適用され得る。マルチフロー（たとえば、アグリゲーション）のコンテキストでは、Ｓセル上のＰＵＣＣＨの場合、タイプ２はＳセルにも適用され得る。たとえば、ＲＲＣは、タイプ２電力ヘッドルームを送信／受信（Ｔｘ／Ｒｘ）するようにＵＥ６１５  Ｓセルを構成し、報告中で与えられる情報を考慮に入れてスケジューリングを実行するようにＳセルを構成するために使用され得る。
【００８８】
[0099]単一のコンポーネントキャリア上の複数のＰＵＣＣＨ／ＰＵＳＣＨの場合、ＰＨ式は、追加のチャネルを考慮に入れるように調整され得る。たとえば、タイプ１の場合、ＰＨ＝Ｐｃｍａｘ，ｃ−（ＰＵＳＣＨ＿ｔｘ＿ｐｗｒ＿１＋ＰＵＳＣＨ＿ｔｘ＿ｐｗｒ＿２＋．．．）であり、タイプ２の場合、ＰＨ＝Ｐｃｍａｘ，ｃ−（ＰＵＣＣＨ＿ｔｘ＿ｐｗｒ＿１＋ＰＵＣＣＨ＿ｔｘ＿ｐｗｒ＿２＋．．．）−（ＰＵＳＣＨ＿ｔｘ＿ｐｗｒ＿１＋ＰＵＳＣＨ＿ｔｘ＿ｐｗｒ＿２＋．．．）である。この例では、ＰＵＳＣＨ＿ｔｘ＿ｐｗｒ＿１は第１のＰＵＳＣＨのための送信電力推定値を指すことがあり、ＰＵＳＣＨ＿ｔｘ＿ｐｏｗｅｒ＿２は第２のＰＵＳＣＨのための送信電力推定値を指すことがある。同様に、ＰＵＣＣＨ＿ｔｘ＿ｐｗｒ＿１は第１のＰＵＣＣＨのための送信電力推定値を指すことがあり、ＰＵＣＣＨ＿ｔｘ＿ｐｏｗｅｒ＿２は第２のＰＵＣＣＨのための送信電力推定値を指すことがある。
【００８９】
[00100]論理チャネル優先度付けコンポーネント６６８に関して、コンポーネントキャリアにわたるパケット（たとえば、データパケット）構築は、様々な態様に依存し得る。たとえば、ＵＥ６１５が１つのサブフレーム中でいくつかのサービングセル中で有効なアップリンク許可を与えられるとき、論理チャネル優先度付け中に許可が処理される順序と、ジョイントまたは直列処理が適用されるかどうかとは、ＵＥ６１５中の論理チャネル優先度付けコンポーネント６６８によって決定され得る。論理チャネルトラフィックとＳＰＳまたは動的許可との間にマッピングがないことがある。たとえば、論理チャネルからのデータは、許可されたＰＵＳＣＨリソース上で送られ得る（ＳＰＳまたは動的）。
【００９０】
[00101]論理チャネル優先度付けのための上記で説明したのと同じ手法は、パケットアグリゲーションを用いたデュアル接続性のために使用される。たとえば、バッファステータス報告（ＢＳＲ）論理チャネルＩＤ（ＬＣＩＤ）係数は、論理チャネルペイロードと許可とのマッピングのためにシグナリングされ、使用され得る。ベアラアグリゲーションのためのデュアル接続性の場合、論理チャネルは、特定のアップリンク許可にマッピングされ得る。たとえば、ＭｅノードＢ６０５−ａ上に構成されたベアラに対応する論理チャネルは、ＭＣＧのコンポーネントキャリア上で受信されたアップリンク許可にマッピングされるべきである。同様に、ＳｅノードＢ６０５−ｂ上に構成されたベアラに対応する論理チャネルは、ＳＣＧのコンポーネントキャリア上で受信されたアップリンク許可にマッピングされるべきである。
【００９１】
[00102]図７は、本開示の一態様による、デュアル接続性でのノード内のキャリアアグリゲーションの一例を概念的に示す図である。ワイヤレス通信ネットワーク７００は、図６の複数接続性ＣＡマネージャコンポーネント６４０および／またはＣＡ制御コンポーネント６５４に関するキャリアアグリゲーションの一例を示している。特に、ワイヤレス通信ネットワーク７００は、デュアル接続性キャリアアグリゲーションにおいてＰＵＣＣＨ上でアップリンク制御情報の送信を制御することの一例を示している。この例では、ＵＥ７１５は、異なるキャリア周波数を使用して異なるノードと接続される。一方のノードで使用される同じキャリアアグリゲーション原理が、他方のノードでも使用され得る。この例では、ＵＥ７１５と通信しているマスタｅノードＢ７０５−ａ（ＭｅノードＢまたはＭｅＮＢ）と２次ｅノードＢ７０５−ｂ（ＳｅノードＢまたはＳｅＮＢ）とが示されている。ＭｅノードＢ７０５−ａ、ＳｅノードＢ７０５−ｂ、およびＵＥ７１５は、様々な図に記載されている基地局／ｅノードＢおよびＵＥのうちの１つであり得る。たとえば、ＵＥ７１５は図６のＵＥ６１５に対応し得る。図７に示された例では、ＵＥ７１５とＭｅノードＢ７０５−ａとの間で使用されている単一のアップリンクコンポーネントキャリア（ｆ１）があり、ＵＥ７１５とＳｅノードＢ７０５−ｂとの間で使用されている２つのアップリンクコンポーネントキャリア（ｆ２およびｆ３）がある。ＭｅノードＢ７０５−ａのためのＰＵＣＣＨはコンポーネントキャリア（ｆ１）上で搬送され得、ＳｅノードＢ７０５−ｂのためのＰＵＣＣＨは、ＳｅノードＢ７０５−ｂのためのＳＣＧ内の最小セルインデックスをもつセルであるコンポーネントキャリア（ｆ２）上で搬送され得る。たとえば、コンポーネントキャリア（ｆ２）はＰセルＳＣＧとして構成され得る。
【００９２】
[00103]図７のワイヤレス通信ネットワーク７００に戻ると、上述のように、１つのＰＵＣＣＨは、ＭｅノードＢ７０５−ａとＳｅノードＢ７０５−ｂとの各々のためのアップリンクコンポーネントキャリア上にＵＥ７１５のために構成され得る。（ＭｅノードＢ７０５−ａに関連する）ＭＣＧと（ＳｅノードＢ７０５−ｂに関連する）ＳＣＧとの両方からのコンポーネントキャリアのうちの１つ上のＰＵＣＣＨは、セルグループ内に関連付けられるすべてのコンポーネントキャリアのためのアップリンクキャリア情報（ＵＣＩ）を搬送する。ＭＣＧからのどのコンポーネントキャリア（またはセル）、およびＳＣＧキャリアからのどのコンポーネントキャリア（またはセル）がそれぞれのセルグループのためのＰＵＣＣＨかを指定するために、ＲＲＣ構成が使用され得る。一実装形態では、ＵＥ７１５のためのＰセルがＭｅノードＢ７０５−ａ上にあり、ＰセルＳＣＧがＳｅノードＢ７０５−ｂ上にあるとき、ＭｅノードＢ／ＭＣＧのためのＰＵＣＣＨはＰセル上にあり、ＳｅノードＢ／ＳＣＧのためのＰＵＣＣＨはＰセルＳＣＧ上にある。
【００９３】
[00104]ワイヤレス通信ネットワーク７００のまた別の態様では、ＵＣＩが、ＰＵＣＣＨではなくＰＵＳＣＨ上で送信されるべきである場合、ＰＵＳＣＨを送信するそれぞれのセルグループ内で最小セルインデックス（たとえば、セルインデックス「０」）を有する、ＭｅノードＢ７０５−ａに関連するＭＣＧとＳｅノードＢ７０５−ｂに関連するＳＣＧとの各々からのコンポーネントキャリアは、対応するセルグループのためのＵＣＩを搬送するために使用され得る。
【００９４】
[00105]ワイヤレス通信ネットワーク７００のまた別の態様では、各グループ（たとえば、ＭｅノードＢ７０５−ａに関連するＭＣＧ、ＳｅノードＢ７０５−ｂに関連するＳＣＧ）のためのＡＣＫ／ＮＡＣＫフィードバックのためのＰＵＣＣＨフォーマットは、コンポーネントキャリアの総数に基づくのではなく、グループ中のコンポーネントキャリアの数に基づいて決定される。たとえば、セルのグループが２つのコンポーネントキャリアを含むとき、チャネル選択を用いるＰＵＣＣＨフォーマット１ｂが使用され得るが、セルのグループが２つまたはそれ以上のコンポーネントキャリア（または非キャリアアグリゲーション（ＣＡ）時分割複信（ＴＤＤ））を含むとき、ＰＵＣＣＨフォーマット３が使用され得る。
【００９５】
[00106]図８は、本開示の一態様による、構成されたコンポーネントを有する２次ｅノードＢ８０５−ｂ（ＳｅノードＢまたはＳｅＮＢ）の一例を概念的に示すブロック図である。図８００のＵＥ８１５、（バックホールリンク８３２をもつ）コアネットワーク８３０、ＭｅノードＢ８０５−ａ、およびＳｅノードＢ８０５−ｂは、様々な図に記載されているＵＥ、コアネットワーク、および基地局／ｅノードＢのうちの１つであり得る。たとえば、ＵＥ８１５は、図６のＵＥ６１５または図７のＵＥ７１５に対応し得る。ＳｅノードＢ８０５−ｂとＵＥ８１５とは通信リンク８２５−ｂ上で通信し得、ＭｅノードＢ８０５−ａとＵＥ８１５とは通信リンク８２５−ａ上で通信し得る。通信リンク８２５−ａおよび８２５−ｂは、図１の通信リンク１２５の例であり得る。ＳｅノードＢ８０５−ｂは、コアネットワーク８３０を通じて他のネットワークエンティティ（たとえば、基地局／ｅノードＢ）と通信し得る。
【００９６】
[00107]ＳｅノードＢ８０５−ｂは、複数接続性ＣＡマネージャコンポーネント８４０と送信機／受信機コンポーネント８６０とを含み得る。複数接続性ＣＡマネージャコンポーネント８４０は、ＳｅノードＢ８０５−ｂのセルのグループ（ＳＣＧ）を動作させるようにＳｅノードＢ８０５−ｂを構成し得、セルのグループのうちの１つのセルはＰセルＳＣＧとして構成され得る。複数接続性ＣＡマネージャコンポーネント８４０は、ＵＥ８１５が、ＭｅノードＢ８０５−ａと同時通信している間にＳｅノードＢ８０５−ｂと通信するために、ＰセルＳＣＧを通じて構成情報をＵＥ８１５に送信するように構成され得、ただし、ＳｅノードＢ８０５−ｂはＭｅノードＢ８０５−ａとコロケートされない。ＵＥ８１５への構成情報の送信は、送信機／受信機コンポーネント８６０によって少なくとも部分的に実行され得る。
【００９７】
[00108]複数接続性ＣＡマネージャコンポーネント８４０は、ＰセルＳＣＧ構成コンポーネント８５０と、ＵＥ構成コンポーネント８５２と、２次マスタグループコンポーネント８５４と、半永続的スケジューリングコンポーネント８５６とを含み得る。
【００９８】
[00109]ＰセルＳＣＧ構成コンポーネント８５０は、ＰセルＳＣＧとして動作するようにＳｅノードＢ８０５−ｂのＳＣＧ中のセルのうちの１つを構成するための本明細書で説明する様々な態様を扱うように構成され得る。
【００９９】
[00110]ＵＥ構成コンポーネント８５２は、構成情報を決定し、処理し、および／またはＵＥ８１５に送信するための本明細書で説明する様々な態様を扱うように構成され得る。ＵＥ構成コンポーネント８５２はまた、ＰＵＣＣＨ上でＵＥ８１５からアップリンク制御情報を受信する態様を扱い得る。
【０１００】
[00111]２次セルグループコンポーネント８５４は、ＳＣＧの２次セルを管理するための本明細書で説明する様々な態様を扱うように構成され得る。たとえば、２次セルグループコンポーネント８５４は、１つのセルが別のセルのための制御を搬送し得るクロスキャリア制御を実行し得る。ＳＣＧの２次セルは、ＰセルＳＣＧをクロスキャリア制御することが可能でないことがある。複数接続性キャリアアグリゲーションでは、クロスキャリア制御は、同じキャリアグループに属するそれらのセル内で実行され得る。
【０１０１】
[00112]半永続的スケジューリングコンポーネント８５６は、ＰセルＳＣＧ上に半永続的スケジューリングを構成するための本明細書で説明する様々な態様を扱うように構成され得る。たとえば、デュアル接続性の場合、ＰセルＳＣＧ上でＳＰＳを可能にすることが望ましいことがある。半永続的スケジューリングまたはＳＰＳは、動作において追加のフレキシビリティを与え得る。たとえば、ベアラアグリゲーションでは、半永続的スケジューリングに適するベアラは、ＳｅノードＢ８０５−ｂとＭｅノードＢ８０５−ａの両方の上に構成され得る。パケットアグリゲーションでは、半永続的スケジューリング送信に適するベアラのパケットは、ＳｅノードＢ８０５−ｂとＭｅノードＢ８０５−ａの両方にルーティングされ得る。
【０１０２】
[00113]図６および図８に関して上記で説明したコンポーネントおよび／または副コンポーネントは、ソフトウェア、ハードウェア、またはソフトウェアとハードウェアとの組合せで実装され得る。その上、コンポーネントおよび／または副コンポーネントのうちの２つまたはそれ以上の機能の少なくとも一部は、単一のコンポーネントまたは単一の副コンポーネントに組み合わせられ得るか、および／または１つのコンポーネントまたは副コンポーネントの（１つ以上の）機能の少なくとも一部は、複数のコンポーネントおよび／または副コンポーネントの間で分散され得る。単一のデバイス（たとえば、ＵＥ６１５）のコンポーネントおよび／または副コンポーネントは、同じデバイスの１つ以上のコンポーネントおよび／または副コンポーネントと通信していることがある。
【０１０３】
[00114]図９は、本開示の一態様による、処理システム９１４を採用する装置９００のための例示的なハードウェア実装形態を概念的に示すブロック図である。処理システム９１４は複数接続性ＣＡマネージャコンポーネント９４０を含む。一例では、装置９００は、様々な図で説明するｅノードＢのうちの１つと同じまたは同様であり得るか、あるいはそれとともに含まれ得る。そのような例では、複数接続性ＣＡマネージャコンポーネント９４０は、たとえば、複数接続性ＣＡマネージャコンポーネント８４０に対応し得る。一例では、装置９００は、様々な図で説明するＵＥのうちの１つと同じまたは同様であり得るか、あるいはそれとともに含まれ得る。そのような例では、複数接続性ＣＡマネージャコンポーネント９４０は、たとえば、複数接続性ＣＡマネージャコンポーネント６４０に対応し得、情報コンバージェンスエンティティコンポーネント６７０の機能を含み得る。処理システム９１４は、バス９０２によって概略的に表されるバスアーキテクチャを用いて実装され得る。バス９０２は、処理システム９１４の特定の適用例および全体的な設計制約に応じて、任意の数の相互接続バスおよびブリッジを含み得る。バス９０２は、プロセッサ９０４によって概略的に表される１つ以上のプロセッサ（たとえば、中央処理ユニット（ＣＰＵ）、マイクロコントローラ、特定用途向け集積回路（ＡＳＩＣ）、フィールドプログラマブルゲートアレイ（ＦＰＧＡ））と、コンピュータ可読媒体９０６によって概略的に表されるコンピュータ可読媒体とを含む様々な回路を互いにリンクする。バス９０２はまた、タイミングソース、周辺機器、電圧調整器、および電力管理回路など、様々な他の回路をリンクし得るが、これらの回路は当技術分野においてよく知られており、したがって、これ以上説明しない。バスインターフェース９０８は、バス９０２と、信号を受信または送信するための１つ以上のアンテナ９２０に接続されたトランシーバ９１０との間のインターフェースを与える。トランシーバ９１０および１つ以上のアンテナ９２０は、伝送媒体上で（たとえば、オーバージエアで）様々な他の装置と通信するための機構を与える。トランシーバ９１０は、それぞれ、図６の送信機／受信機コンポーネント６８０および図８の送信機／受信機コンポーネント８６０の一例であり得る。装置の性質に応じて、ユーザインターフェース（ＵＩ）９１２（たとえば、キーパッド、ディスプレイ、スピーカー、マイクロフォン、ジョイスティック）も与えられ得る。
【０１０４】
[00115]プロセッサ９０４は、バス９０２を管理することと、コンピュータ可読媒体９０６に記憶されたソフトウェアの実行を含む一般的な処理とを担当する。ソフトウェアは、プロセッサ９０４によって実行されたとき、処理システム９１４に、特定の装置のための本明細書で説明する様々な機能を実行させる。コンピュータ可読媒体９０６はまた、ソフトウェアを実行するときにプロセッサ９０４によって操作されるデータを記憶するために使用され得る。上記で説明した複数接続性ＣＡマネージャコンポーネント９４０は、プロセッサ９０４によって、またはコンピュータ可読媒体９０６によって、またはプロセッサ９０４とコンピュータ可読媒体９０６との任意の組合せによって全体的にまたは部分的に実装され得る。
【０１０５】
[00116]図１０は、本開示の一態様による、ＵＥ（たとえば、ＵＥ６１５）におけるデュアル接続性でのキャリアアグリゲーションのための方法１０００を示すフローチャートである。方法１０００の一部または全部は、図１〜図８のＵＥおよび／または図９の処理システム９１４によって実装され得る。
【０１０６】
[00117]ブロック１０１０において、ワイヤレスデバイス（たとえば、ＵＥ）は、第１のネットワークエンティティ（たとえば、ＭｅノードＢまたはＭｅＮＢ）の第１の１次セル（たとえば、Ｐセル）を通じて第１のネットワークエンティティと通信するために第１の構成情報を受信する。たとえば、図６の複数接続性ＣＡマネージャコンポーネント６４０、情報コンバージェンスエンティティコンポーネント６７０、および／または送信機／受信機コンポーネント６８０は、構成情報を受信し得る。
【０１０７】
[00118]ブロック１０１２において、ワイヤレスデバイスは、第２のネットワークエンティティ（たとえば、ＳｅノードＢまたはＳｅＮＢ）の第２の１次セル（たとえば、ＰセルＳＣＧ）を通じて第２のネットワークエンティティと通信するために第２の構成情報を受信する。たとえば、図６の複数接続性ＣＡマネージャコンポーネント６４０、情報コンバージェンスエンティティコンポーネント６７０、および／または送信機／受信機コンポーネント６８０は、構成情報を受信し得る。第２のネットワークエンティティは第１のネットワークエンティティとコロケートされないことがある。
【０１０８】
[00119]ブロック１０１４において、ワイヤレスデバイス中の情報コンバージェンスエンティティは、ワイヤレスデバイスが第１のネットワークエンティティおよび第２のネットワークエンティティと通信しているとき、第１のネットワークエンティティと第２のネットワークエンティティとから受信された第１の構成情報と第２の構成情報とをアグリゲートする。たとえば、図６の情報コンバージェンスエンティティコンポーネント６７０は構成情報をアグリゲートし得る。
【０１０９】
[00120]任意的に、ブロック１０１６において、ワイヤレスデバイスは、第１の１次セル上で第１のネットワークエンティティによって動作させられるセルに関するＰＵＣＣＨを送信し、第２の１次セル上で第２のネットワークエンティティによって動作させられるセルに関するＰＵＣＣＨを送信する。たとえば、図６の複数接続性ＣＡマネージャコンポーネント６４０、ＣＡ制御コンポーネント６５４、情報コンバージェンスエンティティコンポーネント６７０、および／または送信機／受信機コンポーネント６８０は、ＰＵＣＣＨを送信するように動作し得る。
【０１１０】
[00121]図１１は、本開示の一態様による、２次ｅノードＢ（たとえば、ｅノードＢ８０５−ａ）におけるデュアル接続性でのアグリゲーションのための方法１１００を示すフローチャートである。方法１１００の一部または全部は、様々な図のＳｅノードＢ／ＳｅＮＢｓおよび／または図９の処理システム９１４によって実装され得る。
【０１１１】
[00122]ブロック１１１０において、第２のネットワークエンティティ（たとえば、ＳｅノードＢ）は、セルのグループ（たとえば、ＳＣＧ）中のセルを第２の１次セル（ＰセルＳＣＧ）として動作させるように構成される。たとえば、図６の複数接続性ＣＡマネージャコンポーネント８４０および／またはＰセルＳＣＧ構成コンポーネント８５０は、ＳＣＧ中のセルを２次１次セルとして構成し得る。
【０１１２】
[00123]ブロック１１１２において、第２のネットワークエンティティは、ワイヤレスデバイス（たとえば、ＵＥ）が、第１の１次セル（たとえば、Ｐセル）を有するセルの第１のセットを動作させる第１のネットワークエンティティ（たとえば、ＭｅノードＢ）と通信している間に第２のネットワークエンティティと通信するために、第２の１次セルを通じて構成情報をワイヤレスデバイスに送信する。たとえば、図６の複数接続性ＣＡマネージャコンポーネント８４０および／または送信機／受信機コンポーネント８６０は、構成情報を受信し得る。第１のネットワークエンティティは第２のネットワークエンティティとコロケートされないことがある。
【０１１３】
[00124]任意的に、ブロック１１１４において、第２のネットワークエンティティは、第２の１次セル上でセルの第２のセット中のセルに関するＰＵＣＣＨを受信し、ただし、第１のネットワークエンティティは、第１の１次セル上でセルの第１のセット中のセルに関するＰＵＣＣＨを受信する。たとえば、複数接続性ＣＡマネージャコンポーネント８４０、ＵＥ構成コンポーネント８５２、および／または送信機／受信機コンポーネント８６０は、１つ以上のセルに関するＰＵＣＣＨを受信するように動作し得る。
【０１１４】
[00125]図１０および図１１に関して上記で説明した特徴は、限定ではなく例として与えられる。たとえば、方法１０００および１１００の各々で説明する態様のうちの１つまたは複数は、それらの方法で変形形態を生成するために組み合わせられ得る。その上、任意と呼ばれる方法１０００および１１００のそれらの態様は独立して実装され得、すなわち、異なる任意の態様は、互いとは無関係に実装され得る。
【０１１５】
[00126]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１１６】
[00127]さらに、本明細書の開示に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的なコンポーネント、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈すべきではない。
【０１１７】
[00128]本明細書の開示に関して説明した様々な例示的な論理ブロック、モジュール、および回路は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェアコンポーネント、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つ以上のマイクロプロセッサ、あるいは任意の他のそのような構成として実装され得る。
【０１１８】
[00129]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別コンポーネントとして常駐し得る。
【０１１９】
[00130]１つ以上の例示的な設計では、説明した機能は、ハードウェア、ソフトウェア、ファームウェア、またはそれらの組合せで実装され得る。ソフトウェアで実装される場合、機能は、１つ以上の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【０１２０】
[00131]本開示の前述の説明は、いかなる当業者でも本開示を作成または使用することができるように提供される。本開示への様々な修正は当業者には容易に明らかとなり、本明細書で定義した一般原理は、本開示の趣旨または範囲から逸脱することなく他の変形形態に適用され得る。したがって、本開示は、本明細書で説明する例および設計に限定されるものではなく、本明細書で開示する原理および新規の特徴に合致する最も広い範囲を与えられるべきである。
以下に、出願当初の特許請求の範囲に記載された発明を付記する。
［Ｃ１］
ワイヤレス通信においてデータをアグリゲートするための方法であって、前記方法は、
ワイヤレスデバイスにおいて、第１のネットワークエンティティの第１の１次セルを通じて前記第１のネットワークエンティティと通信するために第１の構成情報を受信することと、
前記ワイヤレスデバイスにおいて、第２のネットワークエンティティの第２の１次セルを通じて前記第２のネットワークエンティティと通信するために第２の構成情報を受信することと、
前記ワイヤレスデバイス中の情報コンバージェンスエンティティにおいて、前記ワイヤレスデバイスが前記第１のネットワークエンティティおよび前記第２のネットワークエンティティと通信しているとき、前記第１のネットワークエンティティからの前記第１の構成情報と、前記第２のネットワークエンティティからの前記第２の構成情報とをアグリゲートすることとを備える、方法。
［Ｃ２］
前記第１のネットワークエンティティは、前記第１の１次セルを含むセルの第１のセットと１つ以上の２次セルの第１のセットとを動作させ、前記第２のネットワークエンティティは、前記第２の１次セルを含むセルの第２のセットと１つ以上の２次セルの第２のセットとを動作させる、Ｃ１の方法。
［Ｃ３］
前記第１の１次セルは、前記ワイヤレスデバイスにおいて上位レベル機能を提供するように構成され、前記上位レベル機能は、セキュリティ機能と、ネットワークへの接続機能と、初期接続機能と、無線リンク障害機能とのうちの１つ以上を含む、Ｃ２の方法。
［Ｃ４］
前記第１の１次セルは、前記ワイヤレスデバイス中のエンティティにおいて上位レイヤエンティティ機能を提供するように構成され、前記エンティティは、パケットデータコンバージェンスプロトコル（ＰＤＣＰ）エンティティと、インターネットプロトコル（ＩＰ）エンティティと、無線リソース制御（ＲＲＣ）エンティティとのうちの１つである、Ｃ２の方法。
［Ｃ５］
前記第１のネットワークエンティティと前記第２のネットワークエンティティとがコロケートされない、Ｃ２の方法。
［Ｃ６］
前記第２の１次セルは、１つ以上の２次セルの前記第２のセットからの任意のセルをクロスキャリア制御するように構成され、１つ以上の２次セルの前記第２のセット中の各セルは、前記第２の１次セルをクロスキャリア制御するように構成されない、Ｃ２の方法。
［Ｃ７］
１つ以上の２次セルの前記第２のセット中の前記セルのいずれか１つは、１つ以上の２次セルの前記第２のセット中の残りのセルのうちの１つ以上をクロスキャリア制御するように構成される、Ｃ６の方法。
［Ｃ８］
前記第２の１次セルは、前記第２のネットワークエンティティによって動作させられるセルの第２のセット中の最低セルインデックスを有する、Ｃ２の方法。
［Ｃ９］
前記第１の１次セルは、前記第１のネットワークエンティティによって動作させられるセルの第１のセットの一部であり、
セルの前記第１のセット中のセルに関する物理アップリンク制御チャネル（ＰＵＣＣＨ）を搬送することと、
セルの前記第１のセットが同じ間欠受信（ＤＲＸ）構成を有することを可能にすることと、
前記第１のネットワークエンティティ上で競合ベースランダムアクセスと競合なしランダムアクセスの一方または両方のためのランダムアクセスリソースを構成して提供することと、
ダウンリンク許可がＰＵＣＣＨに関する送信電力制御（ＴＰＣ）コマンドを搬送することを可能にすることと、
セルの前記第１のセット中のセルに関する経路損失推定を可能にすることとを行うように構成され、
前記第１の１次セルは、セルの前記第１のセット中の前記セルの間で構成される共通探索空間と、セルの前記第１のセット中の前記セルの間で構成される半永続的スケジューリングとを有する、Ｃ１の方法。
［Ｃ１０］
前記第２の１次セルは、前記第２のネットワークエンティティによって動作させられるセルの第２のセットの一部であり、前記ワイヤレスデバイス中のレイヤエンティティにおいて第２のネットワークに下位レイヤエンティティ機能を与えるように構成される、Ｃ１の方法。
［Ｃ１１］
前記エンティティは、無線リンク制御（ＲＬＣ）エンティティと、メディアアクセス制御（ＭＡＣ）レイヤエンティティと、物理レイヤエンティティとのうちの少なくとも１つを含む、Ｃ１０の方法。
［Ｃ１２］
前記下位レイヤエンティティ機能は、
セルの前記第２のセット中のセルに関するＰＵＣＣＨを搬送することと、
セルの前記第２のセットが同じＤＲＸ構成を有することを可能にすることと、
前記第２のネットワークエンティティ上で競合ベースランダムアクセスと競合なしランダムアクセスの一方または両方のためのランダムアクセスリソースを構成することと、
ＰＵＣＣＨに関するＴＰＣコマンドを搬送するためのダウンリンク許可と、
セルの前記第２のセット中のセルに関する経路損失推定との機能のうちの少なくとも１つを含み、
前記第２の１次セルは、セルの前記第２のセット中の前記セルの間で構成される共通探索空間を有する、Ｃ１０の方法。
［Ｃ１３］
前記第２の１次セルは半永続的スケジューリングを構成する、Ｃ１２の方法。
［Ｃ１４］
前記第１の１次セルに少なくとも部分的に基づいて前記第１のネットワークエンティティに関連する第１の経路損失を推定することと、
前記第２の１次セルに少なくとも部分的に基づいて前記第２のネットワークエンティティに関連する第２の経路損失を推定することとをさらに備える、Ｃ１の方法。
［Ｃ１５］
ＲＲＣエンティティから前記第１の構成情報と前記第２の構成情報とを受信することをさらに備える、Ｃ１の方法。
［Ｃ１６］
前記情報コンバージェンスエンティティは、ＰＤＣＰエンティティと、ＩＰエンティティと、ＲＲＣエンティティとのうちの１つを備える、Ｃ１の方法。
［Ｃ１７］
情報コンバージェンスエンティティにおいて、前記第１のネットワークエンティティと前記第２のネットワークエンティティとから受信されたデータパケットをアグリゲートすることは、前記第１のネットワークエンティティと前記第２のネットワークエンティティとの両方を通じて、サウンディング基準信号（ＳＲＳ）送信に適するベアラのデータパケットを受信することを備える、Ｃ１の方法。
［Ｃ１８］
前記第１の構成情報は前記第１の１次セルに関する電力ヘッドルーム報告情報を備え、前記第２の構成情報は前記第２の１次セルに関する電力ヘッドルーム報告情報を備える、Ｃ１の方法。
［Ｃ１９］
前記第１の構成情報は、前記第１のネットワークエンティティ上で構成されるベアラに対応し、かつ前記第１のネットワークエンティティによって動作させられるセルの第１のセットのコンポーネントキャリア上で前記ワイヤレスデバイスによって受信されたアップリンク許可にマッピングされる、論理チャネル（ＬＣ）情報を備える、Ｃ１の方法。
［Ｃ２０］
前記第２の構成情報は、前記第２のネットワークエンティティ上で構成されるベアラに対応し、かつ前記第２のネットワークエンティティによって動作させられるセルの第２のセットのコンポーネントキャリア上で前記ワイヤレスデバイスによって受信されるアップリンク許可にマッピングされる、ＬＣ情報を備える、Ｃ１の方法。
［Ｃ２１］
前記第１の構成情報は前記第１の１次セルのためのＳＲＳ情報を備え、前記第２の構成情報は前記第２の１次セルのためのＳＲＳ情報を備える、Ｃ１の方法。
［Ｃ２２］
前記第１のネットワークエンティティは第１の基地局であり、前記第２のネットワークエンティティは第２の基地局である、Ｃ１の方法。
［Ｃ２３］
ワイヤレス通信においてデータをアグリゲートするための装置であって、前記装置は、
ワイヤレスデバイスにおいて、第１のネットワークエンティティの第１の１次セルを通じて前記第１のネットワークエンティティと通信するために第１の構成情報を受信するための手段と、
前記ワイヤレスデバイスにおいて、第２のネットワークエンティティの第２の１次セルを通じて前記第２のネットワークエンティティと通信するために第２の構成情報を受信するための手段と、
前記ワイヤレスデバイス中の情報コンバージェンスエンティティにおいて、前記ワイヤレスデバイスが前記第１のネットワークエンティティおよび前記第２のネットワークエンティティと通信しているとき、前記第１のネットワークエンティティからの前記第１の構成情報と、前記第２のネットワークエンティティからの前記第２の構成情報とをアグリゲートするための手段とを備える、装置。
［Ｃ２４］
ワイヤレスデバイスにおいて、第１のネットワークエンティティの第１の１次セルを通じて前記第１のネットワークエンティティと通信するために第１の構成情報を受信するためのコードと、
前記ワイヤレスデバイスにおいて、第２のネットワークエンティティの第２の１次セルを通じて前記第２のネットワークエンティティと通信するために第２の構成情報を受信するためのコードと、
前記ワイヤレスデバイス中の情報コンバージェンスエンティティにおいて、前記ワイヤレスデバイスが前記第１のネットワークエンティティおよび前記第２のネットワークエンティティと通信しているとき、前記第１のネットワークエンティティからの前記第１の構成情報と、前記第２のネットワークエンティティからの前記第２の構成情報とをアグリゲートするためのコードとを備えるコンピュータ実行可能コードを記憶するコンピュータ可読媒体。
［Ｃ２５］
ワイヤレス通信においてデータをアグリゲートするための通信デバイスであって、
第１のネットワークエンティティの第１の１次セルを通じて前記第１のネットワークエンティティと通信するために第１の構成情報を受信するように構成されたキャリアアグリゲーションマネージャコンポーネントと、前記キャリアアグリゲーションマネージャコンポーネント、第２のネットワークエンティティの第２の１次セルを通じて前記第２のネットワークエンティティと通信するために第２の構成情報を受信するようにさらに構成され、
前記ワイヤレスデバイスが前記第１のネットワークエンティティおよび前記第２のネットワークエンティティと通信しているとき、前記第１のネットワークエンティティからの前記第１の構成情報と、前記第２のネットワークエンティティからの前記第２の構成情報とをアグリゲートするように構成された情報コンバージェンスエンティティとを備える、通信デバイス。
［Ｃ２６］
ワイヤレス通信においてデータをアグリゲートするための方法であって、前記方法は、
セルの第２のセット中のセルを第２の１次セルとして動作させるように第２のネットワークエンティティを構成することと、
ワイヤレスデバイスが、第１の１次セルを有するセルの第１のセットを動作させる第１のネットワークエンティティと通信している間に前記第２のネットワークエンティティと通信するために、前記第２の１次セルを通じて構成情報を前記ワイヤレスデバイスに送信することとを備える、方法。
［Ｃ２７］
前記第１の１次セルは、前記ワイヤレスデバイスにおいて上位レベル機能を提供するように構成され、前記上位レベル機能は、セキュリティ機能と、ネットワークへの接続機能と、初期接続機能と、無線リンク障害機能とのうちの１つ以上を含む、Ｃ２６の方法。
［Ｃ２８］
前記第１の１次セルは、前記ワイヤレスデバイス中のエンティティにおいて上位レベル機能を提供するように構成され、前記エンティティは、パケットデータコンバージェンスプロトコル（ＰＤＣＰ）エンティティと、インターネットプロトコル（ＩＰ）エンティティと、無線リソース制御（ＲＲＣ）エンティティとのうちの１つである、Ｃ２６の方法。
［Ｃ２９］
前記第１の１次セルは、
セルの前記第１のセット中のセルに関する物理アップリンク制御チャネル（ＰＵＣＣＨ）を搬送することと、
セルの前記第１のセットのうちの最低セルインデックスを含めることと、
セルの前記第１のセットが同じ間欠受信（ＤＲＸ）構成を有することを可能にすることと、
前記第１のネットワークエンティティ上で競合ベースランダムアクセスと競合なしランダムアクセスの一方または両方のためのランダムアクセスリソースを構成して提供することと、
ダウンリンク許可がＰＵＣＣＨに関する送信電力制御（ＴＰＣ）コマンドを搬送することを可能にすることと、
セルの前記第１のセット中のセルに関する経路損失推定を可能にすることとを行うように構成され、
前記第１の１次セルは、セルの前記第１のセット中の前記セルの間で構成される共通探索空間と、セルの前記第１のセット中の前記セルの間で構成される半永続的スケジューリングとを有する、Ｃ２６の方法。
［Ｃ３０］
前記第２の１次セルは、
セルの前記第２のセット中のセルに関するＰＵＣＣＨを搬送することと、
セルの前記第２のセットのうちの最低セルインデックスを含めることと、
セルの前記第２のセットが前記同じＤＲＸ構成を有することを可能にすることと、
前記第２のネットワークエンティティ上で競合ベースランダムアクセスと競合なしランダムアクセスの一方または両方のためのランダムアクセスリソースを構成することと、
ＰＵＣＣＨに関するＴＰＣコマンドを搬送するためのダウンリンク許可と、
セルの前記第２のセット中のセルに関する経路損失推定との下位レイヤエンティティ機能のうちの少なくとも１つを与えるように構成され、
前記第２の１次セルは、セルの前記第２のセット中の前記セルの間で構成される共通探索空間を有する、Ｃ２６の方法。
［Ｃ３１］
前記第２の１次セルは半永続的スケジューリングを構成する、Ｃ３０の方法。
［Ｃ３２］
前記第１のネットワークエンティティと前記第２のネットワークエンティティとはコロケートされない、Ｃ２６の方法。
［Ｃ３３］
ワイヤレス通信においてデータをアグリゲートするための装置であって、前記装置は、
セルの第２のセット中のセルを第２の１次セルとして動作させるように第２のネットワークエンティティを構成するための手段と、
ワイヤレスデバイスが、第１の１次セルを有するセルの第１のセットを動作させる第１のネットワークエンティティと通信している間に前記第２のネットワークエンティティと通信するために、前記第２の１次セルを通じて構成情報を前記ワイヤレスデバイスに送信するための手段とを備える、装置。
［Ｃ３４］
セルの第２のセット中のセルを第２の１次セルとして動作させるように第２のネットワークエンティティを構成するためのコードと、
ワイヤレスデバイスが、第１の１次セルを有するセルの第１のセットを動作させる第１のネットワークエンティティと通信している間に前記第２のネットワークエンティティと通信するために、前記第２の１次セルを通じて構成情報を前記ワイヤレスデバイスに送信するためのコードとを備えるコンピュータ実行可能コードを記憶するコンピュータ可読記憶媒体。
［Ｃ３５］
ワイヤレス通信においてデータをアグリゲートするためのネットワークデバイスであって、
セルの第２のセット中のセルを第２の１次セルとして動作させるように第２のネットワークエンティティを構成するように構成されたキャリアアグリゲーションマネージャコンポーネントと、
ワイヤレスデバイスが、第１の１次セルを有するセルの第１のセットを動作させる第１のネットワークエンティティと通信している間に前記第２のネットワークエンティティと通信するために、前記第２の１次セルを通じて構成情報を前記ワイヤレスデバイスに送信するように構成された送信機コンポーネントとを備える、ネットワークデバイス。
【図１】
0006456942.tif 000002
【図２】
0006456942.tif 000003
【図３】
0006456942.tif 000004
【図４】
0006456942.tif 000005
【図５】
0006456942.tif 000006
【図６】
0006456942.tif 000007
【図７】
0006456942.tif 000008
【図８】
0006456942.tif 000009
【図９】
0006456942.tif 000010
【図１０】
0006456942.tif 000011
【図１１】
0006456942.tif 000012